(57)【要約】  本発明は、無線通信デバイスの比吸収率を制御するための方法と、無線通信デバイスとを提供する。無線通信デバイスは、第１のアンテナと第２のアンテナとを含む。方法は、無線通信デバイスが第１のアンテナを用いて無線周波数信号を送信する段階と、第１のアンテナの送信電力が第１の予め設定された電力を上回り、第１の期間が経過した時に、無線通信デバイスがＳＡＲ規格を満たすように、第１のアンテナの使用を停止して、第２のアンテナを用いた無線周波数信号の送信を開始する段階とを含む。無線通信デバイスの比吸収率を制御する処理において、アンテナ送信電力のバックオフはない。従って、ＳＡＲ規格が満たされながらも、無線通信デバイスの通信品質が保証される。
2019527507.tif 000002
【特許請求の範囲】
【請求項１】
無線通信デバイスの比吸収率を制御するための方法であって、
前記無線通信デバイスは、第１のアンテナと第２のアンテナとを備え、
前記無線通信デバイスにおける前記第１のアンテナの位置と前記第２のアンテナの位置との間の距離は、予め設定された間隔を上回り、
前記方法は、
前記無線通信デバイスが前記第１のアンテナを用いて無線周波数信号を送信する段階と、
前記第１のアンテナの送信電力が第１の予め設定された電力を上回り、かつ、第１の期間が経過した時に、前記第１のアンテナの使用を停止して、前記第２のアンテナを用いた前記無線周波数信号の送信を開始する段階と
を備え、
前記無線通信デバイスがＳＡＲ規格を満たすように、
前記第１の予め設定された電力は、前記ＳＡＲ規格において指定されるＳＡＲ上限値に対応する、前記第１のアンテナの送信電力以下であり、
前記第１の期間の開始時点は、前記第１のアンテナの前記送信電力が前記第１の予め設定された電力を上回った時点であり、かつ、
前記第１の期間の長さは、前記ＳＡＲ規格において指定される、ＳＡＲ試験の試験継続時間を下回る、
方法。
【請求項２】
前記第１のアンテナの前記送信電力が前記第１の予め設定された電力を上回る前に、
前記第１のアンテナの前記送信電力が前記第１の予め設定された電力を上回っているかどうかをモニタリングする段階
をさらに備える、請求項１に記載の方法。
【請求項３】
第２の期間が経過した時に、前記第２のアンテナを用いた前記無線周波数信号の送信を停止して、別のアンテナを用いた前記無線周波数信号の送信を開始する段階
をさらに備え、
前記第２の期間の開始時点は、前記第２のアンテナを用いた前記無線周波数信号の送信を開始した時点であり、
前記別のアンテナは、前記無線通信デバイスにおける前記第２のアンテナ以外のアンテナである、
請求項１または２に記載の方法。
【請求項４】
前記別のアンテナは、前記第１のアンテナである、
請求項３に記載の方法。
【請求項５】
前記第１のアンテナの前記送信電力が前記第１の予め設定された電力を上回った後、
人体と前記第１のアンテナとの間の距離を検出する段階と、
前記人体と前記第１のアンテナとの間の前記距離が第１の検出距離を下回っているかどうかを判断する段階であって、前記第１の検出距離は、前記ＳＡＲ規格において指定される、前記ＳＡＲ試験中の前記無線通信デバイスと前記人体との間の距離である、段階と、
前記第１のアンテナの前記送信電力が前記第１の予め設定された電力を上回っており、かつ、前記人体と前記第１のアンテナとの間の前記距離が前記第１の検出距離を下回っている場合、第１の期間が経過した時に、前記第１のアンテナの使用を停止して、前記第２のアンテナを用いた前記無線周波数信号の送信を開始する前記段階を実行する段階と
をさらに備える、請求項１から４のいずれか一項に記載の方法。
【請求項６】
前記第１の期間の前記長さは、前記無線通信デバイスにおいて予め設定される、
請求項１から５のいずれか一項に記載の方法。
【請求項７】
前記第１のアンテナの送信電力が第１の予め設定された電力を上回り、第１の期間が経過した時に、前記第１のアンテナの使用を停止して、前記第２のアンテナを用いた前記無線周波数信号の送信を開始する前記段階は、
前記第１のアンテナの前記送信電力が前記第１の予め設定された電力を上回った時に、前記第１のアンテナを用いた前記無線周波数信号の送信の継続時間のカウントを開始する段階と、
前記第１のアンテナを用いた前記無線周波数信号の送信の前記継続時間が前記第１の期間の前記長さに達した時に、前記第１のアンテナの使用を停止して、前記第２のアンテナを用いた前記無線周波数信号の送信を開始する段階と
を有する、
請求項６に記載の方法。
【請求項８】
前記第１の期間内に前記第１のアンテナを用いて前記無線周波数信号が送信される時に発生する無線周波数放射エネルギーは、第１の予め設定されたエネルギー以下であり、
前記第１の予め設定されたエネルギーは、前記第１のアンテナにおける、前記ＳＡＲ規格において指定される前記ＳＡＲ上限値に対応する無線周波数放射エネルギー以下である、
請求項１から５のいずれか一項に記載の方法。
【請求項９】
前記第２の期間の長さは、前記無線通信デバイスにおいて予め設定される、
請求項３から８のいずれか一項に記載の方法。
【請求項１０】
前記第１の期間内に前記第１のアンテナにおいて発生する前記無線周波数放射エネルギーに従って前記第２の期間の長さを決定する段階
をさらに備える、請求項３から８のいずれか一項に記載の方法。
【請求項１１】
第２の期間が経過した時に、前記第２のアンテナを用いた前記無線周波数信号の送信を停止して、別のアンテナを用いた前記無線周波数信号の送信を開始する前記段階は、
前記無線通信デバイスが前記第２のアンテナを用いた前記無線周波数信号の送信を開始した時に、前記第２のアンテナを用いた前記無線周波数信号の送信の継続時間のカウントを開始する段階と、
前記第２のアンテナを用いた前記無線周波数信号の送信の前記継続時間が前記第２の期間の前記長さに達した時に、前記第１のアンテナの使用を停止して、前記第２のアンテナを用いた前記無線周波数信号の送信を開始する段階と
を有する、
請求項９または１０に記載の方法。
【請求項１２】
前記第２の期間内に前記第２のアンテナを用いて前記無線周波数信号が送信される時に発生する無線周波数放射エネルギーは、第２の予め設定されたエネルギー以下であり、
前記第２の予め設定されたエネルギーは、前記第２のアンテナにおける、前記ＳＡＲ規格において指定される前記ＳＡＲ上限値に対応する無線周波数放射エネルギー以下である、
請求項３から８のいずれか一項に記載の方法。
【請求項１３】
前記第２のアンテナの送信電力が第２の予め設定された電力を上回っているかどうかを判断する段階であって、前記第２の予め設定された電力は、前記ＳＡＲ規格において指定される前記ＳＡＲ上限値に対応する、前記第２のアンテナの送信電力以下である、段階と、
前記人体と前記第２のアンテナとの間の距離を検出する段階と、
前記人体と前記第２のアンテナとの間の前記距離が第２の検出距離を下回っているかどうかを判断する段階と、
前記第２のアンテナの前記送信電力が前記第２の予め設定された電力を上回っており、かつ、前記人体と前記第２のアンテナとの間の前記距離が前記第２の検出距離を下回っている場合、前記第２の期間の前記長さが、前記ＳＡＲ規格において指定される、前記ＳＡＲ試験の試験継続時間を下回っているので、前記無線通信デバイスが前記ＳＡＲ規格を満たす、と判断する段階と
をさらに備える、請求項３から１１のいずれか一項に記載の方法。
【請求項１４】
前記第２のアンテナの送信電力が第２の予め設定された電力を上回っているかどうかを判断する段階であって、前記第２の予め設定された電力は、前記ＳＡＲ規格において指定される前記ＳＡＲ上限値に対応する、前記第２のアンテナの送信電力以下である、段階、または、
前記人体と前記第２のアンテナとの間の距離が第２の検出距離を上回っているかどうかを判断する段階と、
前記第２のアンテナの前記送信電力が前記第２の予め設定された電力を下回っているか、または前記人体と前記第２のアンテナとの間の前記距離が前記第２の検出距離を上回っている場合、前記第２のアンテナの送信性能パラメータを取得する段階と、
前記第２のアンテナの前記送信性能パラメータに従って前記第２の期間の前記長さを延ばす段階と
をさらに備える、請求項３から１１のいずれか一項に記載の方法。
【請求項１５】
無線通信デバイスであって、
無線周波数信号を送信するように構成される第１のアンテナと、
無線周波数信号を送信するように構成される第２のアンテナであって、前記無線通信デバイスにおける前記第１のアンテナの位置と前記第２のアンテナの位置との間の距離は、予め設定された間隔を上回る、第２のアンテナと、
前記第１のアンテナまたは前記第２のアンテナに通信可能に接続された無線周波数回路と、
前記無線周波数回路に通信可能に接続されたプロセッサと
を備え、
前記無線周波数回路は、前記第１のアンテナの送信電力が第１の予め設定された電力を上回った場合に前記第１のアンテナを用いて無線周波数信号を送信するように、前記第１のアンテナに接続され、
前記プロセッサは、第１の期間が経過した時に、前記無線通信デバイスがＳＡＲ規格を満たすように、前記第１のアンテナの使用を停止して、前記第２のアンテナを用いた前記無線周波数信号の送信を開始するよう前記無線周波数回路に命令するように構成され、
前記第１の予め設定された電力は、前記ＳＡＲ規格において指定されるＳＡＲ上限値に対応する、前記第１のアンテナの送信電力以下であり、
前記第１の期間の開始時点は、前記第１のアンテナの前記送信電力が前記第１の予め設定された電力を上回った時点であり、かつ、
前記第１の期間の長さは、前記ＳＡＲ規格において指定される、ＳＡＲ試験の試験継続時間を下回る、
無線通信デバイス。
【請求項１６】
前記プロセッサはさらに、前記第１のアンテナの前記送信電力が前記第１の予め設定された電力を上回っているかどうかをモニタリングするように構成される、
請求項１５に記載の無線通信デバイス。
【請求項１７】
前記プロセッサはさらに、第２の期間が経過した時に、前記第２のアンテナを用いた前記無線周波数信号の送信を停止して、別のアンテナを用いた前記無線周波数信号の送信を開始するよう前記無線周波数回路に命令するように構成され、
前記第２の期間の開始時点は、前記第２のアンテナを用いた前記無線周波数信号の送信を開始した時点であり、
前記別のアンテナは、前記無線通信デバイスにおける前記第２のアンテナ以外のアンテナである、
請求項１５または１６に記載の無線通信デバイス。
【請求項１８】
前記別のアンテナは、前記第１のアンテナである、
請求項１７に記載の無線通信デバイス。
【請求項１９】
人体と前記第１のアンテナとの間の距離を検出するように構成される第１のセンサ
をさらに備え、
前記プロセッサはさらに、
前記人体と前記第１のアンテナとの間の前記距離が、前記ＳＡＲ試験中の前記無線通信デバイスと前記人体との間の前記ＳＡＲ規格において指定される距離である第１の検出距離を下回っているかどうかを判断するように構成され、かつ、
前記第１のアンテナの前記送信電力が前記第１の予め設定された電力を上回っており、前記人体と前記第１のアンテナとの間の前記距離が前記第１の検出距離を下回っている場合、前記第１の期間が経過した時に、前記第１のアンテナの使用を停止して、前記第２のアンテナを用いた前記無線周波数信号の送信を開始するように構成される、
請求項１５から１８のいずれか一項に記載の無線通信デバイス。
【請求項２０】
前記第１の期間の前記長さは、前記無線通信デバイスにおいて予め設定される、
請求項１５から１９のいずれか一項に記載の無線通信デバイス。
【請求項２１】
前記プロセッサはさらに、
前記第１のアンテナの前記送信電力が前記第１の予め設定された電力を上回った時に、前記第１のアンテナを用いた前記無線周波数信号の送信の継続時間のカウントを開始するように構成され、かつ、
前記第１のアンテナを用いた前記無線周波数信号の送信の前記継続時間が前記第１の期間の前記長さに達した時に、前記第１のアンテナの使用を停止して、前記第２のアンテナを用いた前記無線周波数信号の送信を開始するよう前記無線周波数回路に命令するように構成される、
請求項２０に記載の無線通信デバイス。
【請求項２２】
前記第１の期間内に前記第１のアンテナを用いて前記無線周波数信号が送信される時に発生する無線周波数放射エネルギーは、第１の予め設定されたエネルギー以下であり、
前記第１の予め設定されたエネルギーは、前記第１のアンテナにおける、前記ＳＡＲ規格において指定される前記ＳＡＲ上限値に対応する無線周波数放射エネルギー以下である、
請求項１５から１９のいずれか一項に記載の無線通信デバイス。
【請求項２３】
前記第２の期間の長さは、前記無線通信デバイスにおいて予め設定される、
請求項１７から２２のいずれか一項に記載の無線通信デバイス。
【請求項２４】
前記プロセッサはさらに、前記第１の期間内に前記第１のアンテナにおいて発生する前記無線周波数放射エネルギーに従って前記第２の期間の長さを決定するように構成される、
請求項１７から２２のいずれか一項に記載の無線通信デバイス。
【請求項２５】
前記プロセッサはさらに、
前記無線通信デバイスが前記第２のアンテナを用いた前記無線周波数信号の送信を開始した時に、前記第２のアンテナを用いた前記無線周波数信号の送信の継続時間のカウントを開始するように構成され、かつ、
前記第２のアンテナを用いた前記無線周波数信号の送信の前記継続時間が前記第２の期間の前記長さに達した時に、前記第１のアンテナの使用を停止して、前記第２のアンテナを用いた前記無線周波数信号の送信を開始するよう前記無線周波数回路に命令するように構成される、
請求項２３または２４に記載の無線通信デバイス。
【請求項２６】
前記第２の期間内に前記第２のアンテナを用いて前記無線周波数信号が送信される時に発生する無線周波数放射エネルギーは、第２の予め設定されたエネルギー以下であり、
前記第２の予め設定されたエネルギーは、前記第２のアンテナにおける、前記ＳＡＲ規格において指定される前記ＳＡＲ上限値に対応する無線周波数放射エネルギー以下である、
請求項１７から２２のいずれか一項に記載の無線通信デバイス。
【請求項２７】
前記プロセッサはさらに、前記第２のアンテナの送信電力が第２の予め設定された電力を上回っているかどうかを判断するように構成され、前記第２の予め設定された電力は、前記ＳＡＲ規格において指定される前記ＳＡＲ上限値に対応する、前記第２のアンテナの送信電力以下であり、
前記無線通信デバイスは、前記人体と前記第２のアンテナとの間の距離を検出するように構成される第２のセンサをさらに備え、
前記プロセッサはさらに、
前記人体と前記第２のアンテナとの間の前記距離が第２の検出距離を下回っているかどうかを判断し、かつ、
前記第２のアンテナの前記送信電力が前記第２の予め設定された電力を上回っており、かつ、前記人体と前記第２のアンテナとの間の前記距離が前記第２の検出距離を下回っている場合、前記第２の期間の前記長さが、前記ＳＡＲ規格において指定される、前記ＳＡＲ試験の試験継続時間を下回っているので、前記無線通信デバイスが前記ＳＡＲ規格を満たす、と判断する
ように構成される、
請求項１７から２５のいずれか一項に記載の無線通信デバイス。
【請求項２８】
前記プロセッサはさらに、
前記第２のアンテナの送信電力が、前記ＳＡＲ規格において指定される前記ＳＡＲ上限値に対応する、前記第２のアンテナの送信電力以下である第２の予め設定された電力を上回っているかどうかを判断し、
前記第２のアンテナの前記送信電力が前記第２の予め設定された電力を下回っている場合、前記第２のアンテナの送信性能パラメータを取得し、かつ、
前記第２のアンテナの前記送信性能パラメータに従って前記第２の期間の前記長さを延ばす
ように構成されるか、または、
前記無線通信デバイスは、前記人体と前記第２のアンテナとの間の距離を検出するように構成される第２のセンサをさらに備え、
前記プロセッサはさらに、
前記人体と前記第２のアンテナとの間の前記距離が第２の検出距離を上回っているかどうかを判断し、
前記人体と前記第２のアンテナとの間の前記距離が前記第２の検出距離を上回っている場合、前記第２のアンテナの送信性能パラメータを取得し、かつ、
前記第２のアンテナの前記送信性能パラメータに従って前記第２の期間の前記長さを延ばす
ように構成される、
請求項１７から２５のいずれか一項に記載の無線通信デバイス。
【請求項２９】
第１のアンテナと、第２のアンテナと、無線周波数切り替え回路と、プロセッサと、メモリと
を備え、
前記無線周波数切り替え回路と、前記プロセッサと、前記メモリとは、バスシステムを用いて接続されており、
前記メモリは、命令を格納するように構成され、
前記第１のアンテナおよび前記第２のアンテナは、前記プロセッサの制御に従って無線周波数信号を送信するように構成され、
前記プロセッサは、請求項１から１４のいずれか一項に記載の方法を実行すべく、前記メモリに格納された前記命令を呼び出すように構成される、
無線通信デバイス。
【発明の詳細な説明】
【技術分野】
【０００１】
本発明の実施形態は、通信分野に関し、より具体的には、無線通信デバイスの無線周波数放射を制御する技術に関する。
【背景技術】
【０００２】
無線通信デバイスは、無線周波数（Ｒａｄｉｏ  Ｆｒｅｑｕｅｎｃｙ、略してＲＦ）回路を用いて、例えば音声通話中またはウェブページブラウジング中に無線周波数信号（ｒａｄｉｏ  ｆｒｅｑｕｅｎｃｙ  ｓｉｇｎａｌ）を受信および送信し、かつ、無線周波数信号を送信する（データ送信）よう、アンテナを制御する。しかしながら、無線周波数信号は、ＲＦ放射、例えば、電磁放射（ｅｌｅｃｔｒｏｍａｇｎｅｔｉｃ  ｒａｄｉａｔｉｏｎ）を発生させる。周波数帯範囲が３キロヘルツ（ｋＨｚ）から３００ギガヘルツ（ＧＨｚ）であるＲＦ放射は、ＲＦ放射が人体により吸収された後に、人体を損傷する。通常、人体により無線通信デバイスから吸収されるＲＦ放射エネルギーは国際的に、比吸収率（Ｓｐｅｃｉｆｉｃ  Ａｂｓｏｒｐｔｉｏｎ  Ｒａｔｅ、略してＳＡＲ）を用いて測定される。ＳＡＲにより、単位時間において単位質量当たりの物質により吸収されたＲＦ放射エネルギーが測定される。単位は、ワット毎キログラム（Ｗ／ｋｇ）である。
【０００３】
現在、いくつかの国では、これらの国に導入される無線通信デバイスが過剰に高いＲＦ放射を生じないことを保証すべく、無線通信デバイスのＳＡＲ値について指定上限値が設定されている。例えば、米国連邦通信委員会（Ｆｅｄｅｒａｌ  Ｃｏｍｍｕｎｉｃａｔｉｏｎｓ  Ｃｏｍｍｉｓｓｉｏｎ、略してＦＣＣ）および欧州ＣＥ（Ｃｏｎｆｏｒｍｉｔｅ  Ｅｕｒｏｐｅｅｎｎｅ）の両方が、無線通信デバイスのＳＡＲ規格（ＳＡＲ準拠基準）を指定している。米国ＦＣＣにより指定されているＳＡＲ規格では、無線通信デバイスのＳＡＲ上限値は、１．６Ｗ／ｋｇである。つまり、６分間で人体組織の各キログラムにより吸収されるＲＦ放射エネルギーは、２ワット（Ｗ）以下である。欧州ＣＥにより指定されているＳＡＲ規格では、無線通信デバイスのＳＡＲ上限値は、２Ｗ／ｋｇである。米国電気電子技術者協会（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ、略してＩＥＥＥ）および米国規格協会（Ａｍｅｒｉｃａｎ  Ｎａｔｉｏｎａｌ  Ｓｔａｎｄａｒｄｓ  Ｉｎｓｔｉｔｕｔｅ、略してＡＮＳＩ）において発表された「３ｋＨｚから３００ＧＨｚの無線周波数電磁場への人体の曝露に関する安全レベルについての規格」（Ｃ９５．１−１９９２）および「潜在的に危険な電磁場ＲＦおよびマイクロ波の測定の推奨される実施方法」（Ｃ９５．３−２００２）と題する２つの論文において、ＳＡＲ規格の内容が具体的に説明されている。
【０００４】
無線通信デバイスのＳＡＲ値を測定するための方法は、ある期間中の人体組織の各キログラムの１箇所における平均ＲＦ放射エネルギー吸収率を測定することである。  ＳＡＲ計算式は、
【数１】
2019527507.tif 000003
である。
σは、人体組織をシミュレートする吸収器（例えば、ファントム）の導電率であり、Ｅは、無線通信デバイスが無線周波数信号を発生させる場合に生じる電界強度の変数（二乗平均平方根、ＲＭＳ）であり、ρは、人体組織をシミュレートする吸収器の質量密度である。
【０００５】
アンテナを用いて無線周波数信号が受信または送信される場合に発生する電界強度の値は、アンテナの送信電力に関連する。アンテナの送信電力が高い場合、無線通信デバイスの周囲の電界強度が増加し、それに応じて、ＲＦ放射エネルギーが増加する。無線通信デバイスのＳＡＲ値は、ＳＡＲ規格を満たし得ない（以下では、「無線通信デバイスのＳＡＲ値が限界を超える）と称される）。図１ａは、無線通信デバイスのＳＡＲ値が限界を超えるシナリオの概略図である。図１ａに示されるように、無線通信デバイスのアンテナ１を用いた最大送信電力での送信が実行される場合、デバイスにより発生するＳＡＲ値は、限界を超える。従って、無線通信デバイスのＳＡＲ値についての前述の国の要件を満たすために、無線通信デバイスのＳＡＲ値は通常、従来技術における電力バックオフ（Ｐｏｗｅｒ  Ｂａｃｋｏｆｆ）機構を用いて制御される。電力バックオフメカニズムにより、無線通信デバイスのＳＡＲ値を低減すべく、無線通信デバイスのアンテナの送信電力を低減することが可能になる。
【０００６】
図１ｂは、電力バックオフメカニズムを用いたＳＡＲ値の低減の概略図である。図１ｂに示されるように、アンテナの送信電力が減った場合、発生するＲＦ放射エネルギーが減るので、無線通信デバイスのＳＡＲ値がＳＡＲ規格を満たす。しかしながら、アンテナの送信電力が減った場合、無線通信デバイスの通信性能が低下する。無線通信デバイスが、信号の質が比較的低い弱信号領域にある場合、通話停止が生じるか、またはアップリンク通話の質が低くなる可能性がある。図１ｃは、アンテナの送信電力が減った後に無線通信デバイスの通話性能が低下するシナリオの概略図である。従って、各国における無線通信デバイスのＳＡＲ規格を考慮に入れながら無線通信デバイスの通信品質をどのように保証するかは、難しいテーマである。
【発明の概要】
【０００７】
本願は、各国におけるＳＡＲ規格を考慮に入れながら通信品質を保証すべく、無線通信デバイスの比吸収率を制御するための方法と、無線通信デバイスとを提供する。
【０００８】
第１の態様によれば、本発明の実施形態は、無線通信デバイスの比吸収率を制御するための方法を提供する。無線通信デバイスは、第１のアンテナと第２のアンテナとを含み、無線通信デバイスにおける第１のアンテナの位置と第２のアンテナの位置との間の距離は、予め設定された間隔を上回る。方法は、無線通信デバイスが第１のアンテナを用いて無線周波数信号を送信する段階と、第１のアンテナの送信電力が第１の予め設定された電力を上回り、かつ、第１の期間が経過した時に、第１のアンテナの使用を停止して、第２のアンテナを用いた無線周波数信号の送信を開始する段階とを含み、無線通信デバイスがＳＡＲ規格を満たすように、第１の予め設定された電力は、ＳＡＲ規格において指定されるＳＡＲ上限値に対応する、第１のアンテナの送信電力以下であり、第１の期間の開始時点は、第１のアンテナの送信電力が第１の予め設定された電力を上回った時点であり、かつ、第１の期間の長さは、ＳＡＲ規格において指定される、ＳＡＲ試験の試験継続時間を下回る。
【０００９】
第１の態様の第１の可能な実装形態において、第１のアンテナの送信電力が第１の予め設定された電力を上回る前に、方法は、第１のアンテナの送信電力が第１の予め設定された電力を上回っているかどうかをモニタリングする段階をさらに含む。
【００１０】
第１の態様または第１の態様の第１の可能な実装形態を参照すると、第２の可能な実装形態において、方法は、第２の期間が経過した時に、第２のアンテナを用いた無線周波数信号の送信を停止して、別のアンテナを用いた無線周波数信号の送信を開始する段階をさらに含み、第２の期間の開始時点は、第２のアンテナを用いた無線周波数信号の送信を開始した時点であり、別のアンテナは、無線通信デバイスにおける第２のアンテナ以外のアンテナである。
【００１１】
第１の態様の第２の可能な実装形態を参照すると、第３の可能な実装形態において、別のアンテナは第１のアンテナである。
【００１２】
第２のアンテナが安全アンテナである場合において、第２の期間が経過した後に、第２のアンテナが第１のアンテナへ戻るように切り替えられるときは、無線通信デバイスは、無線通信デバイスの通信性能を向上させるべく、可能な限り第１のアンテナを用いて無線周波数信号を送信し得る。第２のアンテナが非安全アンテナである場合において、第２の期間が経過した後に、第２のアンテナが第１のアンテナへ戻るように切り替えられたときは、第２のアンテナにより無線通信デバイスのＳＡＲ値が限界を超える事態が生じるのが防止され得る。
【００１３】
第１の態様または第１の態様の第１の可能な実装形態から第３の可能な実装形態のいずれか１つを参照すると、第４の可能な実装形態において、第１のアンテナの送信電力が第１の予め設定された電力を上回った後、方法は、人体と第１のアンテナとの間の距離を検出する段階と、人体と第１のアンテナとの間の距離が第１の検出距離を下回っているかどうかを判断する段階であって、第１の検出距離は、ＳＡＲ規格において指定される、ＳＡＲ試験中の無線通信デバイスと人体との間の距離である、段階と、第１のアンテナの送信電力が第１の予め設定された電力を上回っており、かつ、人体と第１のアンテナとの間の距離が第１の検出距離を下回っている場合、第１の期間が経過した時に、第１のアンテナの使用を停止して、第２のアンテナを用いた無線周波数信号の送信を開始する段階を実行する段階とをさらに含む。
【００１４】
無線通信デバイスと人体との間の距離は、アンテナ切り替えの開始時点をより正確に決定するように検出される。無線通信デバイスと人体との間の距離が比較的遠い場合、電力消費を低減し、かつ、通信の安定性を向上させるべく、アンテナ切り替え動作は、第１のアンテナの送信電力が比較的高いかどうかにかかわらず、実行される必要がない。
【００１５】
第１の態様または第１の態様の第１の可能な実装形態から第４の可能な実装形態のいずれか１つを参照すると、第５の可能な実装形態において、第１の期間の長さは、無線通信デバイスにおいて予め設定される。
【００１６】
第１の態様の第５の可能な実装形態を参照すると、第６の可能な実装形態において、第１のアンテナの送信電力が第１の予め設定された電力を上回り、第１の期間が経過した時に、第１のアンテナの使用を停止して、第２のアンテナを用いた無線周波数信号の送信を開始する段階は、第１のアンテナの送信電力が第１の予め設定された電力を上回った時に、第１のアンテナを用いた無線周波数信号の送信の継続時間のカウントを開始する段階と、第１のアンテナを用いた無線周波数信号の送信の継続時間が第１の期間の長さに達した時に、第１のアンテナの使用を停止して、第２のアンテナを用いた無線周波数信号の送信を開始する段階とを含む。
【００１７】
第１の態様または第１の態様の第１の可能な実装形態から第４の可能な実装形態のいずれか１つを参照すると、第７の可能な実装形態において、第１の期間中に第１のアンテナを用いて無線周波数信号が送信される場合に発生する無線周波数放射エネルギーは、第１の予め設定されたエネルギー以下であり、第１の予め設定されたエネルギーは、ＳＡＲ規格において指定されるＳＡＲ上限値に対応する、第１のアンテナの無線周波数放射エネルギー以下である。
【００１８】
第１の態様の第２の可能な実装形態から第７の可能な実装形態のいずれか１つを参照すると、第８の可能な実装形態において、第２の期間の長さは、無線通信デバイスにおいて予め設定される。
【００１９】
第１の態様の第２の可能な実装形態から第７の可能な実装形態のいずれか１つを参照すると、第９の可能な実装形態において、方法は、第１の期間中に第１のアンテナにおいて発生した無線周波数放射エネルギーに従って第２の期間の長さを決定する段階をさらに含む。
【００２０】
第１の態様の第８の可能な実装形態または第９の可能な実装形態のいずれかを参照すると、第１０の可能な実装形態において、第２の期間が経過した時に、第２のアンテナを用いた無線周波数信号の送信を停止して、別のアンテナを用いた無線周波数信号の送信を開始する段階は、無線通信デバイスが第２のアンテナを用いた無線周波数信号の送信を開始した時に、第２のアンテナを用いた無線周波数信号の送信の継続時間のカウントを開始する段階と、第２のアンテナを用いた無線周波数信号の送信の継続時間が第２の期間の長さに達した時に、第１のアンテナの使用を停止して、第２のアンテナを用いた無線周波数信号の送信を開始する段階とを含む。
【００２１】
第１の態様の第２の可能な実装形態から第７の可能な実装形態のいずれか１つを参照すると、第１１の可能な実装形態において、第２の期間中に第２のアンテナを用いて無線周波数信号が送信される場合に発生する無線周波数放射エネルギーは、第２の予め設定されたエネルギー以下であり、第２の予め設定されたエネルギーは、ＳＡＲ規格において指定されるＳＡＲ上限値に対応する、第２のアンテナの無線周波数放射エネルギー以下である。
【００２２】
第１の態様の第２の可能な実装形態から第１０の可能な実装形態のいずれか１つを参照すると、第１２の可能な実装態様において、方法は、第２のアンテナの送信電力が第２の予め設定された電力を上回っているかどうかを判断する段階であって、第２の予め設定された電力は、ＳＡＲ規格において指定されるＳＡＲ上限値に対応する、第２のアンテナの送信電力以下である、段階と、人体と第２のアンテナとの間の距離を検出する段階と、人体と第２のアンテナとの間の距離が第２の検出距離を下回っているかどうかを判断する段階と、第２のアンテナの送信電力が第２の予め設定された電力を上回っており、かつ、人体と第２のアンテナとの間の距離が第２の検出距離を下回っている場合、第２の期間の長さが、ＳＡＲ規格において指定される、ＳＡＲ試験の試験継続時間を下回っているので、無線通信デバイスがＳＡＲ規格を満たす、と判断する段階とをさらに含む。
【００２３】
第１の態様の第２の可能な実装形態から第１０の可能な実装形態のいずれか１つを参照すると、第１３の可能な実装形態において、方法は、第２のアンテナの送信電力が第２の予め設定された電力を上回っているかどうかを判断する段階であって、第２の予め設定された電力は、ＳＡＲ規格において指定されるＳＡＲ上限値に対応する、第２のアンテナの送信電力以下である、段階、または、人体と第２のアンテナとの間の距離が第２の検出距離を上回っているかどうかを判断する段階と、第２のアンテナの送信電力が第２の予め設定された電力を下回っているか、または人体と第２のアンテナとの間の距離が第２の検出距離を上回っている場合、第２のアンテナの送信性能パラメータを取得する段階と、第２のアンテナの送信性能パラメータに従って第２の期間の長さを延ばす段階とをさらに含む。
【００２４】
別の態様によれば、本発明の実施形態は、無線通信デバイスの比吸収率を制御するための方法を提供する。無線通信デバイスは、第１のアンテナと第２のアンテナとを含み、無線通信デバイスにおける第１のアンテナの位置と第２のアンテナの位置との間の距離は、予め設定された間隔を上回る。方法は、無線通信デバイスが第１のアンテナを用いて無線周波数信号を送信する段階と、第１のアンテナの送信電力が第１の予め設定された電力を上回り、かつ、第１の期間が経過した時に、第１のアンテナの使用を停止して、第２のアンテナを用いた無線周波数信号の送信を開始する段階とを含み、無線通信デバイスがＳＡＲ規格を満たすように、第１の予め設定された電力は、ＳＡＲ規格において指定されるＳＡＲ上限値に対応する、第１のアンテナの送信電力以下であり、第１の期間の開始時点は、第１のアンテナの送信電力が第１の予め設定された電力を上回った時点であり、かつ、第１の期間の長さは、無線周波数信号が第１の期間中に第１のアンテナの最大送信電力で送信される場合、第１のアンテナにおけるＳＡＲ値が、ＳＡＲ規格において指定されるＳＡＲ上限値以下であるという条件を満たす必要がある。
【００２５】
第１の態様の任意の可能な実装形態は、本態様と組み合わせて、複数の可能な実装形態を形成し得る。
【００２６】
別の態様によれば、本発明の実施形態は、無線通信デバイスの比吸収率を制御するための方法を提供する。無線通信デバイスは、第１のアンテナおよび第２のアンテナを含み、無線通信デバイスにおける第１のアンテナの位置と第２のアンテナの位置との間の距離は、予め設定された間隔を上回る。方法は、無線通信デバイスが第１のアンテナを用いて無線周波数信号を送信する段階と、第１のアンテナの送信電力が第１の予め設定された電力を上回り、かつ、第１の期間が経過した時に、第１のアンテナの使用を停止して、第２のアンテナを用いた無線周波数信号の送信を開始する段階と、第２のアンテナの送信電力が第２の予め設定された電力を上回り、かつ、第２の期間が経過した時に、第２のアンテナを用いた無線周波数信号の送信を停止して、第１のアンテナを用いた無線周波数信号の送信を開始する段階とを含む。第１の予め設定された電力は、ＳＡＲ規格において指定されるＳＡＲ上限値に対応する、第１のアンテナの送信電力以下であり、第２の予め設定された電力は、ＳＡＲ規格において指定されるＳＡＲ上限値に対応する、第２のアンテナの送信電力以下であり、第１の期間の長さは１秒であり、かつ、第２の期間の長さは１秒である。
【００２７】
無線通信デバイスのＳＡＲ値が限界を超える前に、無線通信デバイスのＳＡＲ値が限界を超えるのを防止すべく、アンテナを用いた無線周波数信号の送信が停止され、アンテナに蓄積するＲＦ放射エネルギーは、増加が停止し、継時的に徐々に低減および放出される。加えて、アンテナの送信電力のバックオフがないので、無線通信デバイスの通信性能は、電力バックオフの技術的解決手段と比較して改善される。
【００２８】
第２の態様によれば、本発明の実施形態は、無線通信デバイスを提供する。無線通信デバイスは、無線周波数信号を送信するように構成される第１のアンテナと、無線周波数信号を送信するように構成される第２のアンテナであって、無線通信デバイスにおける第１のアンテナの位置と第２のアンテナの位置との間の距離は、予め設定された間隔を上回る、第２のアンテナと、第１のアンテナまたは第２のアンテナに通信可能に接続された無線周波数回路と、無線周波数回路に通信可能に接続されたプロセッサとを含み、無線周波数回路は、第１のアンテナの送信電力が第１の予め設定された電力を上回った場合に第１のアンテナを用いて無線周波数信号を送信するように、第１のアンテナに接続され、プロセッサは、第１の期間が経過した時に、無線通信デバイスがＳＡＲ規格を満たすように、第１のアンテナの使用を停止して、第２のアンテナを用いた無線周波数信号の送信を開始するよう無線周波数回路に命令するように構成され、第１の予め設定された電力は、ＳＡＲ規格において指定されるＳＡＲ上限値に対応する、第１のアンテナの送信電力以下であり、第１の期間の開始時点は、第１のアンテナの送信電力が第１の予め設定された電力を上回った時点であり、かつ、第１の期間の長さは、ＳＡＲ規格において指定される、ＳＡＲ試験の試験継続時間を下回る。
【００２９】
第２の態様の第１の可能な実装形態において、プロセッサはさらに、第１のアンテナの送信電力が第１の予め設定された電力を上回っているかどうかをモニタリングするように構成される。
【００３０】
第２の態様または第２の態様の第１の可能な実装形態を参照すると、第２の可能な実装形態において、プロセッサはさらに、第２の期間が経過した時に、第２のアンテナを用いた無線周波数信号の送信を停止して、別のアンテナを用いた無線周波数信号の送信を開始するよう無線周波数回路に命令するように構成される。第２の期間の開始時点は、第２のアンテナを用いた無線周波数信号の送信の開始時点である、別のアンテナは、無線通信デバイスにおける第２のアンテナ以外のアンテナである。
【００３１】
第２の態様の第２の可能な実装形態を参照すると、第３の可能な実装形態において、別のアンテナは第１のアンテナである。
【００３２】
第２の態様または第２の態様の第１の可能な実装形態から第３の可能な実装形態のいずれか１つを参照すると、第４の可能な実装形態において、無線通信デバイスは、人体と第１のアンテナとの間の距離を検出するように構成される第１のセンサをさらに含む。プロセッサ／コントローラはさらに、人体と第１のアンテナとの間の距離が、ＳＡＲ規格において指定される、ＳＡＲ試験中の無線通信デバイスと人体との間の距離である第１の検出距離を下回っているかどうかを判断して、第１のアンテナの送信電力が第１の予め設定された電力を上回っており、かつ、人体と第１のアンテナとの間の距離が第１の検出距離を下回っている場合、第１の期間が経過した時に、第１のアンテナの使用を停止して、第２のアンテナを用いた無線周波数信号の送信を開始するように構成される。
【００３３】
第２の態様または第２の態様の第１の可能な実装形態から第４の可能な実装形態のいずれか１つを参照すると、第５の可能な実装形態において、第１の期間の長さは、無線通信デバイスにおいて予め設定される。
【００３４】
第２の態様の第５の可能な実装形態を参照すると、第６の可能な実装形態において、プロセッサはさらに、第１のアンテナの送信電力が第１の予め設定された電力を上回った時に、第１のアンテナを用いた無線周波数信号の送信の継続時間のカウントを開始するように構成され、かつ、第１のアンテナを用いた無線周波数信号の送信の継続時間が第１の期間の長さに達した時に、第１のアンテナの使用を停止して、第２のアンテナを用いた無線周波数信号の送信を開始するよう無線周波数回路に命令するように構成される。
【００３５】
第２の態様または第２の態様の第１の可能な実装形態から第４の可能な実装形態のいずれか１つを参照すると、第７の可能な実装形態において、第１の期間中に第１のアンテナを用いて無線周波数信号が送信される場合に発生する無線周波数放射エネルギーは、第１の予め設定されたエネルギー以下であり、第１の予め設定されたエネルギーは、ＳＡＲ規格において指定されるＳＡＲ上限値に対応する、第１のアンテナの無線周波数放射エネルギー以下である。
【００３６】
第２の態様の第２の可能な実装形態から第７の可能な実装形態のいずれか１つを参照すると、第８の可能な実装形態において、第２の期間の長さは、無線通信デバイスにおいて予め設定される。
【００３７】
第２の態様の第２の可能な実装形態から第７の可能な実装形態のいずれか１つを参照すると、第９の可能な実装形態において、プロセッサはさらに、第１の期間中に第１のアンテナにおいて発生した無線周波数放射エネルギーに従って第２の期間の長さを決定するように構成される。
【００３８】
第２の態様の第８の可能な実装形態または第９の可能な実装形態のいずれかを参照すると、第１０の可能な実装形態において、プロセッサはさらに、無線通信デバイスが第２のアンテナを用いた無線周波数信号の送信を開始した場合、第２のアンテナを用いた無線周波数信号の送信の継続時間のカウントを開始するように構成され、かつ、第２のアンテナを用いた無線周波数信号の送信の継続時間が第２の期間の長さに達した時に、第１のアンテナの使用を停止して、第２のアンテナを用いた無線周波数信号の送信を開始するよう無線周波数回路に命令するように構成される。
【００３９】
第２の態様の第２の可能な実装形態から第７の可能な実装形態のいずれか１つを参照すると、第１１の可能な実装形態において、第２の期間中に第２のアンテナを用いて無線周波数信号が送信される場合に発生する無線周波数放射エネルギーは、第２の予め設定されたエネルギー以下であり、第２の予め設定されたエネルギーは、ＳＡＲ規格において指定されるＳＡＲ上限値に対応する、第２のアンテナの無線周波数放射エネルギー以下である。
【００４０】
第２の態様の第２の可能な実装形態から第１０の可能な実装形態のいずれか１つを参照すると、第１２の可能な実装態様において、プロセッサはさらに、第２のアンテナの送信電力が第２の予め設定された電力を上回っているかどうかを判断するように構成され、第２の予め設定された電力は、ＳＡＲ規格において指定されるＳＡＲ上限値に対応する、第２のアンテナの送信電力以下であり、無線通信デバイスは、人体と第２のアンテナとの間の距離を検出するように構成される第２のセンサをさらに含み、プロセッサはさらに、人体と第２のアンテナとの間の距離が第２の検出距離を下回っているかどうかを判断し、かつ、第２のアンテナの送信電力が第２の予め設定された電力を上回っており、かつ、人体と第２のアンテナとの間の距離が第２の検出距離を下回っている場合、第２の期間の長さが、ＳＡＲ規格において指定される、ＳＡＲ試験の試験継続時間を下回っているので、無線通信デバイスがＳＡＲ規格を満たす、と判断するように構成される。
【００４１】
第２の態様の第２の可能な実装形態から第１０の可能な実装形態のいずれか１つを参照すると、第１３の可能な実装形態において、プロセッサはさらに、第２のアンテナの送信電力が、ＳＡＲ規格において指定されるＳＡＲ上限値に対応する、第２のアンテナの送信電力以下である第２の予め設定された電力を上回っているかどうかを判断し、第２のアンテナの送信電力が第２の予め設定された電力を下回っている場合、第２のアンテナの送信性能パラメータを取得し、かつ、第２のアンテナの送信性能パラメータに従って第２の期間の長さを延ばす
ように構成されるか、または、無線通信デバイスは、人体と第２のアンテナとの間の距離を検出するように構成される第２のセンサをさらに含み、プロセッサはさらに、人体と第２のアンテナとの間の距離が第２の検出距離を上回っているかどうかを判断し、人体と第２のアンテナとの間の距離が第２の検出距離を上回っている場合、第２のアンテナの送信性能パラメータを取得し、かつ、第２のアンテナの送信性能パラメータに従って第２の期間の長さを延ばすように構成される。
【００４２】
別の態様によれば、本発明の実施形態は、無線通信デバイスを提供する。無線通信デバイスは、第１のアンテナと、第２のアンテナと、無線周波数回路と、プロセッサとを含む。第１のアンテナは、無線周波数信号を送信するように構成され、第２のアンテナは、無線周波数信号を送信するように構成され、無線通信デバイスにおける第１のアンテナの位置と第２のアンテナの位置との間の距離は、予め設定された間隔を上回る。無線周波数回路は、第１のアンテナまたは第２のアンテナに通信可能に接続され、プロセッサは、無線周波数回路に通信可能に接続される。第１のアンテナの送信電力が第１の予め設定された電力を上回っている場合、無線周波数回路は、第１のアンテナを用いて無線周波数信号を送信すべく、第１のアンテナに接続される。プロセッサは、第１のアンテナの送信電力が、ＳＡＲ規格において指定されるＳＡＲ上限値に対応する、第１のアンテナの送信電力以下である第１の予め設定された電力を上回り、かつ、第１の期間が経過した時に、第１のアンテナの使用を停止して、第２のアンテナを用いた無線周波数信号の送信を開始するように構成される。無線通信デバイスがＳＡＲ規格を満たすように、第１の期間の開始時点は、第１のアンテナの送信電力が第１の予め設定された電力を上回った時点であり、第１の期間の長さは、無線周波数信号が第１の期間中に第１のアンテナの最大送信電力で送信される場合、第１のアンテナのＳＡＲ値が、ＳＡＲ規格において指定されるＳＡＲ上限値以下であるという条件を満たす必要がある。
【００４３】
第２の態様の任意の可能な実装形態は、本態様と組み合わせて、複数の可能な実装形態を形成し得る。
【００４４】
別の態様によれば、本発明の実施形態は、無線通信デバイスを提供する。無線通信デバイスは、第１のアンテナと、第２のアンテナと、無線周波数回路と、プロセッサとを含む。第１のアンテナは、無線周波数信号を送信するように構成され、第２のアンテナは、無線周波数信号を送信するように構成され、無線通信デバイスにおける第１のアンテナの位置と第２のアンテナの位置との間の距離は、予め設定された間隔を上回る。無線周波数回路は、第１のアンテナまたは第２のアンテナに通信可能に接続され、プロセッサは、無線周波数回路に通信可能に接続される。第１のアンテナの送信電力が第１の予め設定された電力を上回っている場合、無線周波数回路は、第１のアンテナを用いて無線周波数信号を送信すべく、第１のアンテナに接続される。プロセッサは、第１のアンテナの送信電力が、ＳＡＲ規格において指定されるＳＡＲ上限値に対応する、第１のアンテナの送信電力以下である第１の予め設定された電力を上回り、かつ、第１の期間が経過した時に、第１のアンテナの使用を停止して、第２のアンテナを用いた無線周波数信号の送信を開始するように構成され、かつ、第２のアンテナの送信電力が第２の予め設定された電力を上回り、かつ、第２の期間が経過した時に、第２のアンテナを用いた無線周波数信号の送信を停止して、第１のアンテナを用いた無線周波数信号の送信を開始するように構成される。第１の予め設定された電力は、ＳＡＲ規格において指定されるＳＡＲ上限値に対応する、第１のアンテナの送信電力以下であり、第２の予め設定された電力は、ＳＡＲ規格において指定されるＳＡＲ上限値に対応する、第２のアンテナの送信電力以下であり、第１の期間の長さは１秒であり、かつ、第２の期間の長さは１秒である。
【００４５】
無線通信デバイスのＳＡＲ値が限界を超える前に、無線通信デバイスのＳＡＲ値が限界を超えるのを防止すべく、アンテナを用いた無線周波数信号の送信が停止され、アンテナに蓄積するＲＦ放射エネルギーは、増加が停止し、継時的に徐々に低減および放出される。加えて、アンテナの送信電力のバックオフがないので、無線通信デバイスの通信性能は、電力バックオフの技術的解決手段と比較して改善される。
【００４６】
第３の態様によれば、本発明の実施形態は、無線通信デバイスを提供する。無線通信デバイスは、第１のアンテナと、第２のアンテナと、無線周波数切り替え回路と、プロセッサと、メモリとを含み、無線周波数切り替え回路と、プロセッサと、メモリとは、バスシステムを用いて接続されており、メモリは、命令を格納するように構成され、第１のアンテナおよび第２のアンテナは、プロセッサの制御に従って無線周波数信号を送信するように構成され、プロセッサは、第１の態様の任意の可能な実装形態を実行すべく、メモリに格納された命令を呼び出すように構成される。
【００４７】
無線通信デバイスのＳＡＲ値が限界を超える前に、無線通信デバイスのＳＡＲ値が限界を超えるのを防止すべく、アンテナを用いた無線周波数信号の送信が停止され、アンテナに蓄積するＲＦ放射エネルギーは、増加が停止し、継時的に徐々に低減および放出される。加えて、アンテナの送信電力のバックオフがないので、無線通信デバイスの通信性能は、電力バックオフの技術的解決手段と比較して改善される。
【図面の簡単な説明】
【００４８】
本発明の実施形態における技術的解決手段をより明確に説明すべく、本発明の実施形態を説明するために必要とされる添付図面を以下に簡潔に紹介する。以下の説明における添付図面は、本発明のいくつかの実施形態を示しているに過ぎず、当業者であれば、創造的努力なくこれらの添付図面から他の図面をさらに導き出し得ることは明らかである。
【００４９】
【図１ａ】無線通信デバイスのＳＡＲ値が限界を超えるシナリオの概略図である。
【００５０】
【図１ｂ】電力バックオフメカニズムを用いたＳＡＲ値の低減の概略図である。
【００５１】
【図１ｃ】アンテナの送信電力が減った後に無線通信デバイスの通話性能が低下するシナリオの概略図である。
【００５２】
【図２ａ】本発明の実施形態による無線通信デバイスの概略構造図である。
【００５３】
【図２ｂ】図２ａにおける無線通信デバイスのＲＦ回路１１１０の概略構造図である。
【００５４】
【図３ａ】携帯電話が人体の頭部に近い適用シナリオの概略図である。
【００５５】
【図３ｂ】携帯電話が人体に近い適用シナリオの概略図である。
【００５６】
【図４】試験時間における無線通信デバイスのアンテナの送信電力の時系列図である。
【００５７】
【図４ａ】ＦＣＣ認証中の携帯電話の最上部におけるＳＡＲ値の試験の概略図である。
【００５８】
【図４ｂ】ＦＣＣ認証中の携帯電話の前部におけるＳＡＲ値の試験の概略図である。
【００５９】
【図５Ａ】本発明による、無線通信デバイスのＳＡＲを制御するための方法の第１の実施形態の概略フローチャートである。
【図５Ｂ】本発明による、無線通信デバイスのＳＡＲを制御するための方法の第１の実施形態の概略フローチャートである。
【００６０】
【図５ａ】第２のアンテナが安全アンテナである場合の無線通信デバイスのアンテナの送信電力の時系列図である。
【００６１】
【図５ｂ】第２のアンテナが非安全アンテナである場合の無線通信デバイスのアンテナの送信電力の時系列図である。
【００６２】
【図６Ａ】本発明による無線通信デバイスのＳＡＲを制御するための方法の第２の実施形態の概略フローチャートである。
【図６Ｂ】本発明による無線通信デバイスのＳＡＲを制御するための方法の第２の実施形態の概略フローチャートである。
【００６３】
【図６ａ】第２のアンテナが安全アンテナである場合の無線通信デバイスのアンテナの送信電力の時系列図である。
【００６４】
【図６ｂ】第２のアンテナが非安全アンテナである場合の無線通信デバイスのアンテナの送信電力の時系列図である。
【００６５】
【図７Ａ】本発明による、無線通信デバイスのＳＡＲを制御するための方法の第３の実施形態の概略フローチャートである。
【図７Ｂ】本発明による、無線通信デバイスのＳＡＲを制御するための方法の第３の実施形態の概略フローチャートである。
【００６６】
【図７ａ】第２のアンテナが安全アンテナである場合の無線通信デバイスのアンテナの送信電力の時系列図である。
【００６７】
【図７ｂ】第２のアンテナが非安全アンテナである場合の無線通信デバイスのアンテナの送信電力の時系列図である。
【００６８】
【図７ｃ】第２のアンテナが非安全アンテナである場合の無線通信デバイスのアンテナの送信電力の時系列図である。
【００６９】
【図８】前述の実施形態を参照して第２のアンテナを用いた無線周波数信号の送信の継続時間を調整するための方法のフローチャートである。
【００７０】
【図８ａ】第２のアンテナが安全アンテナである場合の第２のアンテナの送信電力に従って第２のアンテナを用いた無線周波数信号の送信の継続時間の調整の概略図である。
【００７１】
【図９】前述の実施形態における無線通信デバイスの可能な概略構造図である。
【発明を実施するための形態】
【００７２】
以下では、本発明の実施形態における添付図面を参照して、本発明の実施形態における技術的解決手段を明確かつ十分に説明する。説明される実施形態は、本発明の実施形態の全てではなく部分であることは明らかである。当業者が創造的努力をすることなく本発明の実施形態に基づいて取得する全ての他の実施形態は、本発明の保護範囲に含まれるものとする。
【００７３】
本発明の実施形態において、無線通信デバイス（ｗｉｒｅｌｅｓｓ  ｃｏｍｍｕｎｉｃａｔｉｏｎ  ｄｅｖｉｃｅまたは無線通信機器）は、ユーザ機器（Ｕｓｅｒ  Ｅｑｕｉｐｍｅｎｔ、略して「ＵＥ」）、移動局（Ｍｏｂｉｌｅ  Ｓｔａｔｉｏｎ、略して「ＭＳ」）、モバイル端末（Ｍｏｂｉｌｅ  ｔｅｒｍｉｎａｌ）、クライアント（ステーション、略して「ＳＴＡ」）、電子デバイス（ｅｌｅｃｔｒｏｎｉｃ  ｄｅｖｉｃｅ）等とも称され得る。無線通信デバイスは、データカード、ルータ、電子書籍、携帯電話（または「セルラ」電話と称される）、ポータブルコンピュータ、タブレットコンピュータ、携帯電話、メディアプレーヤ、パーソナルデジタルアシスタント（ＰＤＡ）、インテリジェントビークル、将来の５Ｇネットワークにおける無線通信デバイス、将来の進化型ＰＬＭＮネットワークにおける無線通信デバイス等であり得る。無線通信デバイスは、無線通信を通じて、インターネットまたは別の通信デバイスと通信し得る。
【００７４】
図２ａは、本発明の実施形態による無線通信デバイスの概略構造図である。無線通信デバイス１００は、無線周波数（Ｒａｄｉｏ  Ｆｒｅｑｕｅｎｃｙ、ＲＦ）回路１１１０、メモリ１１２０、入力ユニット１１３０、ディスプレイユニット１１４０、センサ１１５０、可聴周波数回路１１６０、アンテナ１１７０、プロセッサ１１８０および電源１１９０などのコンポーネントを含む。これらのコンポーネントは、１または複数の通信バスまたは信号ケーブルを用いて、互いに通信する。当業者であれば、図２ａにおいて示されるデバイスの構造が無線通信デバイスに対する限定を構成しないこと、および、無線通信デバイスが、図２ａに示されるものより多いかまたはより少ないコンポーネントを含み得るか、いくつかのコンポーネントを組み合わせ得るか、または異なるコンポーネント構成を有し得ることを理解し得る。
【００７５】
以下では、図２ａを参照して、無線通信デバイス１００の各構成コンポーネントを具体的に説明する。
【００７６】
ＲＦ回路１１１０は、データ送信プロセスにおいて電気信号を無線周波数信号（例えば、電磁信号）へ変換し、アンテナ（Ａｎｔｅｎｎａ）１１７０を用いて、無線周波数信号を無線通信ネットワークまたは別の通信デバイスへ指定送信電力で送信するように構成され得る。反対に、ＲＦ回路１１１０は、アンテナ１１７０が受信した無線周波数信号を電気信号へ変換し、電気信号を処理用にプロセッサ１１８０へ送信する。例えば、無線通信デバイス１００が基地局とやり取りする場合、ＲＦ回路１１１０は、基地局により届けられてダウンリンクデータを保持している無線周波数信号を受信するようアンテナ１１７０を制御し、無線周波数信号を処理用にプロセッサ１１８０へ送信する。加えて、ＲＦ回路１１１０は、プロセッサ１１８０により送信されてアップリンクデータを保持している無線周波数信号を受信し、アンテナ１１７０を用いて無線周波数信号を基地局へ送信する。アップリンクデータまたはダウンリンクデータは、通話データ、情報データ、モバイルネットワークデータ等を含む。無線通信デバイス１００は、少なくとも２つのアンテナ１１７０を含む。携帯電話における２つのアンテナの位置間の間隔は、予め設定された間隔を上回ることに留意すべきである。予め設定された間隔は、ＳＡＲ試験プロセスにおいて人体組織をシミュレートする吸収器上の単位測定立方体の測定された長さである。具体的には、携帯電話における２つのアンテナの位置間の間隔は、携帯電話の回路カード上の２つのアンテナの配置位置間の距離であり、以下の条件を満たす必要がある。
【００７７】
２つのアンテナを用いて無線周波数信号が送信される場合、発生する無線周波数放射エネルギーのホットスポット領域間の距離は、アンテナの放射エネルギーが同じＳＡＲ測定領域に蓄積するのを防止すべく、ＳＡＲ試験中の吸収器上の単位測定立方体の測定された長さを上回る。
【００７８】
例えば、アンテナ１のホットスポット領域の半径がｘであり、アンテナ２のホットスポット領域の半径がｙであり、かつ、吸収器上の単位測定立方体の測定された長さがｚである場合、２つのアンテナ間の、距離ｄは、（１）ｘ＋ｙ≧ｚである場合、ｄがｘ＋ｙを上回っていること、（２）ｘ＋ｙ＜ｚである場合、ｄがｚを上回っていること、という条件を満たす必要があり得る。
【００７９】
無線通信ネットワークは、例えば、インターネット（ワールドワイドウェブ（ＷＷＷ）とも称される）、イントラネットおよび／または無線ネットワーク（携帯電話ネットワーク、無線ローカルエリアネットワーク（ＬＡＮ）および／またはメトロポリタンエリアネットワーク（ＭＡＮ）など）。グローバル・システム・フォー・モバイルコミュニケーションズ（ＧＳＭ（登録商標））、ＧＳＭ（登録商標）環境のための強化データ（ＥＤＧＥ）、高速ダウンリンクパケットアクセス（ＨＳＤＰＡ）、高速アップリンクパケットアクセス（ＨＳＵＰＡ）、広帯域符号分割多元接続（Ｗ−ＣＤＭＡ）、符号分割多元接続（ＣＤＭＡ）、時間分割多元接続（ＴＤＭＡ）、ロングタームエボリューション（Ｌｏｎｇ  Ｔｅｒｍ  Ｅｖｏｌｕｔｉｏｎ、略してＬＴＥ）、Ｂｌｕｅｔｏｏｔｈ（登録商標）、ワイヤレスフィデリティ（Ｗｉ−Ｆｉ）（例えば、ＩＥＥＥ８０２．１１ａ、ＩＥＥＥ８０２．１１ｂ、ＩＥＥＥ８０２．１１ｇおよび／またはＩＥＥＥ８０２．１１ｎ）、ボイスオーバーインターネットプロトコル（ＶｏＩＰ）、Ｗｉ‐ＭＡＸ、電子メールプロトコル（例えば、インターネットメッセージアクセスプロトコル（ＩＭＡＰ）および／またはポストオフィスプロトコル（ＰＯＰ））、インスタントメッセージ（例えば、エクステンシブルメッセージングアンドプレゼンスプロトコル（ＸＭＰＰ））、ＳＩＰフォーインスタントメッセージングアンドプレゼンスレバレッジングエクステンションズ（ＳＩＭＰＬＥ）、インスタントメッセージアンドプレゼンスサービス（ＩＭＰＳ）および／またはショートメッセージサービス（ＳＭＳ）または本明細書の提出日時点で開発されていない通信プロトコルなどの任意の他の適切な通信プロトコル      を含むがこれらに限定されない任意のタイプの複数の通信上の規格、プロトコルおよび技術が無線通信のために用いられ得る。
【００８０】
メモリ１１２０は、ソフトウェアプログラムおよびモジュールを格納するように構成され得る。プロセッサ１１８０は、メモリ１１２０に格納されたソフトウェアプログラムおよびモジュールを動作させることにより、無線通信デバイスの様々な機能アプリケーションおよびデータ処理を実行する。メモリ１１２０は主に、プログラム格納領域およびデータ格納領域を含み得る。プログラム格納領域は、少なくとも１つの機能により必要とされるオペレーティングシステム、アプリケーションプログラム（音声再生機能または画像再生機能など）等を格納し得る。データ格納領域は、無線通信デバイスの使用に従って作成されるデータ（オーディオデータまたは電話帳など）等を格納し得る。加えて、メモリ１１２０は、高速ランダムアクセスメモリを含み得、さらに、少なくとも１つの磁気ディスクストレージデバイス、フラッシュストレージデバイスまたは別のソリッドステートストレージデバイスなどの不揮発性メモリを含み得る。
【００８１】
入力ユニット１１３０は、入力されたジェスチャ情報およびデジタル情報または文字情報を受信し、無線通信デバイス１００のユーザ設定および機能制御に関連して入力されるキー信号を発生させるように構成され得る。具体的に、入力ユニット１１３０は、タッチスクリーン１１３１および別の入力デバイス１１３２を含み得る。タッチスクリーン１１３１は、タッチ動作を収集し得る。タッチスクリーン１１３１は、タッチスクリーン１１３１の上または近くでのユーザのタッチ動作（ユーザが、タッチスクリーン１１３１上で、またはタッチスクリーン１１３１の近くで、指またはスタイラスなどの任意の適切な物体または付属品を用いて実行する動作など）を収集し、予め設定されたプログラムに従って、対応する接続された装置を駆動し得る。入力ユニット１１３０は、タッチスクリーン１１３１に加え、別の入力デバイス１１３２を含み得る。具体的には、別の入力デバイス１１３２は、限定されるものではないが、物理キーボード、ファンクションキー（音量調節キーまたはオン／オフキーなど）、トラックボール、マウス、ジョイスティック等のうちの１または複数を含み得る。
【００８２】
ディスプレイユニット１１４０は、ユーザにより入力された情報またはユーザのために提供された情報と、無線通信デバイスの様々なメニューとを表示するように構成され得る。ディスプレイユニット１１４０は、ディスプレイスクリーン１１４１を含み得る。任意選択で、ディスプレイスクリーン１１４１は、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）等を用いて構成され得る。図２ａにおいて、タッチスクリーン１１３１およびディスプレイスクリーン１１４１は、無線通信デバイスの入力機能および入力機能を実装するための２つの独立のコンポーネントとして用いられる。しかしながら、いくつかの実施形態において、タッチスクリーン１１３１およびディスプレイスクリーン１１４１は、無線通信デバイスの入力機能および出力機能を実装するために統合され得る。
【００８３】
無線通信デバイスは、静電容量センサ、光センサ、モーションセンサまたは別のセンサなどの少なくとも１つのセンサ１１５０をさらに含み得る。光センサは、周辺光センサおよび近接センサを含み得る。近接センサは、物体が無線通信デバイスに接近しているかどうかを検出するように構成され得る。静電容量センサは、容量値を変え得る物体（例えば、人体または動物）が無線通信デバイスに接近しているかどうかを検出するように構成され得る。
【００８４】
可聴周波数回路１１６０、ラウドスピーカ１１６１およびマイク１１６２は、ユーザと無線通信デバイスとの間のインタフェースを提供し得る。可聴周波数回路１１６０は、受信したオーディオデータを電気信号へ変換し、電気信号をラウドスピーカ１１６１へ送信し得る。ラウドスピーカ１１６１は、電気信号を出力のために音声信号へ変換する。加えて、マイク１１６２は、収集した音声信号を電気信号へ変換し、可聴周波数回路１１６０は、電気信号を受信し、電気信号をオーディオデータへ変換して、ＲＦ回路１１１０を用いてオーディオデータを例えば別の無線通信デバイスへ送信すべく、またはオーディオデータをさらなる処理のためにメモリ１１２０へ出力すべく、オーディオデータを処理のためにプロセッサ１１８０へ出力する。
【００８５】
プロセッサ１１８０は、無線通信デバイスのコントロールセンタであり、様々なインタフェースおよびラインを用いて無線通信デバイス全体の全ての部分を接続すると共に、無線通信デバイスに対する全体的なモニタリングを実行すべく、メモリ１１２０に格納されたソフトウェアプログラムおよび／またはモジュールを動作させるかまたは実行することにより、かつ、メモリ１１２０に格納されたデータを呼び出すことにより、無線通信デバイスの様々な機能およびデータ処理を実行する。任意選択で、プロセッサ１１８０は、アプリケーションプロセッサおよびモデムプロセッサを含む。アプリケーションプロセッサは主に、オペレーティングシステム、ユーザスクリーン、アプリケーションプログラム等を処理し、モデムプロセッサ主に、無線通信を処理する。モデムプロセッサおよびモデムプロセッサは、１つのプロセッサへ統合され得るか、または相互に独立した別個のプロセッサであり得ることが理解され得る。プロセッサ１１８０は、中央処理ユニット（Ｃｅｎｔｒａｌ  Ｐｒｏｃｅｓｓｉｎｇ  Ｕｎｉｔ、略して「ＣＰＵ」）であり得るか、または別の汎用プロセッサ、デジタル信号プロセッサ（ＤＳＰ）、特定用途向け集積回路（ＡＳＩＣ）、フィールドプログラマブルゲートアレイ（ＦＰＧＡ）もしくは別のプログラマブルロジックデバイス、ディスクリートゲートロジックデバイスもしくはトランジスタロジックデバイス、ディスクリートハードウェアコンポーネント等であり得る。汎用プロセッサは、マイクロプロセッサであり得るか、または任意の従来のプロセッサ等であり得る。
【００８６】
無線通信デバイスは、全てのコンポーネントに電力を供給する電源１１９０（バッテリなど）をさらに含む。好ましくは、電源は、電力管理システムを用いた充電および放電の管理ならびに電力消費の管理などの機能を実装するように、電力管理システムを用いて、プロセッサ１１８０に論理的に接続され得る。
【００８７】
不図示であるが、無線通信デバイスは、ＷｉＦｉモジュール、カメラ、Ｂｌｕｅｔｏｏｔｈ（登録商標）モジュール、ＧＰＳモジュール等をさらに含み得る。詳細は、本明細書において説明されない。
【００８８】
図２ｂは、図２ａにおける無線通信デバイスのＲＦ回路１１１０の概略構造図である。当業者であれば、図２ｂに示される回路構造は、ＲＦ回路に対する限定を構成しないこと、およびＲＦ回路は、図に示されるものより多いかまたはより少ないコンポーネントを含み得るか、いくつかのコンポーネントを組み合わせ得るか、または異なるコンポーネント構成を有し得ることを理解し得る。図２ｂに示されるように、ＲＦ回路１１１０は、限定されるものではないが、送信機（Ｔｒａｎｓｍｉｔｔｅｒ）と、受信機（Ｒｅｃｅｉｖｅｒ）と、少なくとも１つの電力増幅器（Ｐｏｗｅｒ  Ａｍｐｌｉｆｉｅｒ、略してＰＡ）と、結合器（Ｃｏｕｐｌｅｒ）と、デュプレクサ（Ｄｕｐｌｅｘｅｒ）と、切り替えスイッチ（Ｓｗｉｔｃｈ）とを含む。ＲＦ回路１１１０は、図２ａにおける少なくとも２つのアンテナ１１７０に電気的に接続される。具体的には、ＲＦ回路１１１０の切り替えスイッチは、指示に従ってアンテナ（Ａｎｔｅｎｎａ）１またはアンテナ２への接続を切り替えるように構成される。切り替えスイッチがアンテナ１に接続されている場合、無線周波数信号は、アンテナ１を用いて送信または受信される。切り替えスイッチがアンテナ２に接続されている場合、無線周波数信号は、アンテナ２を用いて送信または受信される。
【００８９】
具体的には、プロセッサ１１８０が無線周波数信号をＲＦ回路１１１０へ送信した後、ＲＦ回路１１１０の送信機は、信号をＰＡへ送信し、ＰＡは、信号に対して電力増幅を実行する。電力増幅後に取得される無線周波数信号は、結合器およびデュプレクサにより処理された後に、アンテナ１またはアンテナ２へ送信される。最後に、無線周波数信号は、アンテナ１またはアンテナ２により、指定送信電力で空間へ放射され、最後に、ピア受信デバイスにより受信される。アンテナの送信電力が高いほど、無線周波数信号が送信され得る距離がより長くなる。結果的に、アンテナにおいて発生するＲＦ放射がより高くなり、対応する無線通信デバイスのＳＡＲ値がより大きくなる。反対に、アンテナの送信電力が減った場合、無線周波数信号が送信され得る距離は短くなり、アンテナにおいて発生するＲＦ放射は低減し、対応する無線通信デバイスのＳＡＲ値はより小さくなる。アンテナの送信電力の最大値は、アンテナの最大送信電力である。アンテナを用いて無線周波数信号を送信する処理において、アンテナの送信電力は、アンテナの最大送信電力以下である。
【００９０】
上述のように、人体により無線通信デバイスから吸収されるＲＦ放射エネルギーは、無線通信デバイスが無線周波数信号を受信または送信する時に生じる電界強度の値に依存する。しかしながら、電界強度は、距離が増えると共に減衰する。つまり、無線通信デバイスのアンテナを用いて無線周波数信号が受信または送信された時に、アンテナにより近い位置における電界強度は増え、アンテナからより遠い位置における電界強度は徐々に減る。従って、無線通信デバイスのアンテナを用いて同じ送信電力で無線周波数信号が送信された場合において、人体が無線通信デバイスに近いときは、より多くのＲＦ放射エネルギーが人体により無線通信デバイスから吸収され得、人体が無線通信デバイスから遠く離れているときは、より少ないＲＦ放射エネルギーが人体により吸収される。従って、米国ＦＣＣおよび欧州ＣＥにより指定されるＳＡＲ規格において、無線通信デバイスのＳＡＲ値が試験される場合、無線通信デバイスと人体との間の距離は、ＳＡＲ試験について指定された検出距離を下回っている必要がある。
【００９１】
加えて、ほとんどの無線通信デバイスは、直方体のような形状であり、指定された立方体空間を占有する必要がある（無線通信デバイスのスクリーンのサイズが拡大すると、それに応じて、無線通信デバイスにより占有される立方体空間はより大きくなっる）。従って、無線通信デバイスが人体に近い場合、人体と無線通信デバイスの異なる領域との間の距離は異なる。いくつかの領域は人体に比較的近く、いくつかの領域は人体から比較的遠く離れている。従って、ＳＡＲ規格において、ＳＡＲ値試験方法は以下のようになる。つまり、無線通信デバイスのある領域は、人体からの検出距離内に配置され、試験期間中の無線通信デバイスのこの領域におけるＲＦ放射エネルギーが検出される。無線通信デバイスの異なる領域では、検出距離は変わり得る。
【００９２】
以下では、携帯電話の最上部および携帯電話の前部が吸収器に近い例を用いて、米国ＦＣＣにより指定されるＳＡＲ規格において携帯電話のＳＡＲ値を試験する処理を別々に説明する。携帯電話は、２つのアンテナを含み、２つのアンテナの位置は別々に、携帯電話の最上部と携帯電話の底部とに近い。携帯電話の最上部が吸収器に近い方は、携帯電話が人体の頭部に近いシナリオをシミュレートするために用いられる。これは、頭部ＳＡＲ試験と称される。図３ａは、携帯電話が人体の頭部に近い適用シナリオの概略図である。携帯電話の前部が吸収器に近い方は、携帯電話全体が人体に近いシナリオをシミュレートするために用いられる。これは、身体ＳＡＲ試験と称される。図３ｂは、携帯電話が人体に近い適用シナリオの概略図である。
【００９３】
人体組織をシミュレートする吸収器（例えば、ファントム）がまず配置される。無線通信デバイスの全ての領域（例えば、前部、後部、最上部および底部）が別々に吸収器に接近する。無線通信デバイスが無線周波数信号をある期間継続的に送信した後、無線通信デバイスの被検出領域に近い１グラム（ｇ）の立方体が吸収器から抽出され、立方体のＳＡＲ値が検出される。ＳＡＲ値が１．６Ｗ／ｋｇ以下である場合、無線通信デバイスは、米国ＦＣＣにおけるＳＡＲ規格に準拠している。欧州ＣＥにおけるＳＡＲ試験プロセスは、米国ＦＣＣにおけるものと同様であり、差異は、ＳＡＲ試験中、検出用に１０グラムの立方体が吸収器から抽出される必要がある旨を欧州ＣＥが指定していることである。携帯電話の最上部におけるアンテナの位置と携帯電話の底部におけるアンテナの位置との間の間隔が、予め設定された間隔を上回っていることに留意すべきである。予め設定された間隔は、吸収器上の単位測定立方体の測定された長さである。例えば、米国ＦＣＣにおけるＳＡＲ値試験中、吸収器上の単位測定立方体は１ｇの立方体であり、欧州ＣＥにおけるＳＡＲ値試験中、吸収器上の単位測定立方体は１０ｇの立方体である。単位測定立方体の測定された長さは、携帯電話に対向する、立方体の表面の側部の長さである。携帯電話に対向する、単位測定立方体の表面の長さが表面の幅とは異なる場合、予め設定された間隔の値は、携帯電話に対向する、単位測定立方体の表面の長さまたは幅の最大値である。
【００９４】
頭部ＳＡＲ試験では、携帯電話の最上部と吸収器との間の検出距離は、５ミリメートルであり、携帯電話は、最上部におけるアンテナを用いて無線周波数信号を継続的に送信し、携帯電話の最上部に近い、吸収器上の１または複数の１ｇの立方体により別々に吸収されたＲＦ放射エネルギーが検出される。任意の１ｇの立方体により吸収されたＲＦ放射エネルギーが限界を超えている場合、携帯電話のＳＡＲ値は限界を超えている。
【００９５】
身体ＳＡＲ試験において、携帯電話の前部と吸収器との間の検出距離は、７ミリメートルであり、携帯電話は、最上部におけるアンテナを用いて無線周波数信号を継続的に送信し、携帯電話の前部に近い複数の１ｇの立方体が吸収器から抽出され、各立方体により吸収されたＲＦ放射エネルギーが検出される。従って、携帯電話の前部の最上部に近い少なくとも１つの１ｇの立方体が抽出される必要があり、携帯電話の前部の底部に近い少なくとも１つの１ｇの立方体が抽出される必要がある。任意の１ｇの立方体により吸収されたＲＦ放射エネルギーが限界を超えている場合、携帯電話のＳＡＲ値は限界を超えている。送信は携帯電話の最上部におけるアンテナを用いて継続的に実行されるので、底部におけるアンテナを用いて送信される無線周波数信号はなく、携帯電話の前部の最上部に近い１ｇの立方体により吸収されたＲＦ放射エネルギーは、携帯電話の前部の底部に近い１ｇの立方体により吸収されたＲＦ放射エネルギーを上回っている。
【００９６】
さらに、人体または吸収器により吸収されるＲＦ放射エネルギーは、継時的に蓄積する。従って、全てのＳＡＲ値試験において、無線通信デバイスの領域に蓄積したＲＦ放射エネルギーの値は、指定試験期間において検出される。ＲＦ放射エネルギーの蓄積が停止した場合、人体または吸収器により吸収されたＲＦ放射エネルギーは、継時的に放出される。
【００９７】
前述の理由に基づいて、無線通信デバイスのＳＡＲを制御するための技術的解決手段が提供される。無線通信デバイスは、少なくとも２つのアンテナ、つまり、第１のアンテナおよび第２のアンテナを含む。無線通信デバイスにおける第１のアンテナの位置と第２のアンテナの位置との間の距離は、予め設定された間隔を上回る。具体的には、予め設定された間隔は、ＳＡＲ値試験中に吸収器上の単位測定立方体の測定された長さである。
【００９８】
無線通信デバイスは、第１のアンテナを用いて、無線周波数信号を指定送信電力で送信する。第１のアンテナの送信電力が、ＳＡＲ規格において指定されるＳＡＲ上限値に対応する、アンテナの送信電力を超えている場合において、第１のアンテナの送信電力がバックオフしていないときは、無線周波数信号は、第１のアンテナを用いて送信され続ける。第１のアンテナにおけるＳＡＲ値が限界を超えた時に、第１のアンテナを用いた無線周波数信号の送信が停止され、第１のアンテナは、無線周波数信号を送信するよう第２のアンテナに切り替えられる。
【００９９】
ＲＦ放射エネルギーは、指定された時間にわたって蓄積される必要があるので、アンテナの送信電力が比較的高い場合、無線通信デバイスのＳＡＲ値は、瞬間的には限界を超えていない。従って、無線通信デバイスのＳＡＲ値が限界を超える前に、無線通信デバイスのＳＡＲ値が限界を超えるのを防止すべく、アンテナを用いた無線周波数信号の送信は停止され、アンテナに蓄積したＲＦ放射エネルギーは、増加が停止して徐々に低減し、継時的に放出される。加えて、アンテナの送信電力のバックオフがないので、無線通信デバイスの通信性能が、電力バックオフの技術的解決手段と比較して改善される。
【０１００】
具体的には、第１のアンテナの送信電力が、ＳＡＲ規格において指定されるＳＡＲ上限値に対応する、アンテナの送信電力を超えた後、第１のアンテナを用いた連続送信の継続時間は、ＳＡＲ規格において指定される、ＳＡＲ試験の試験継続時間を下回っている必要がある。
【０１０１】
ＳＡＲ試験の試験継続時間が経過する前に、第１のアンテナを用いた無線周波数信号の送信は停止する。従って、第１のアンテナにおけるＳＡＲ値は、試験継続時間全体において低減する。
【０１０２】
具体的には、第１のアンテナの送信電力が、ＳＡＲ規格において指定されるＳＡＲ上限値に対応する、アンテナの送信電力を超えた後、無線周波数信号が第１のアンテナの最大送信電力で送信される場合、第１のアンテナを用いた連続送信の継続時間において、第１のアンテナのＳＡＲ値が、ＳＡＲ規格において指定されるＳＡＲ上限値以下であるという条件を満たしている必要がある。
【０１０３】
従って、第１のアンテナの送信電力が、ＳＡＲ規格において指定されるＳＡＲ上限値に対応する送信電力をどれくらい上回っているかにかかわらず、第１のアンテナを用いた連続送信の継続時間によっては、無線通信デバイスのＳＡＲ値が限界を超える事態は生じない。
【０１０４】
具体的には、第１のアンテナを用いた連続送信の継続時間は、実験室でのＳＡＲ値試験方法における試験を通じて取得され得る。例えば、無線通信デバイスの第１のアンテナを用いて無線周波数信号が最大送信電力で送信され、無線通信デバイスの検出ＳＡＲ値がＳＡＲ規格における上限値に達した場合、第１のアンテナを用いて送信が実行される継続時間は、第１のアンテナを用いた連続送信の継続時間である。
【０１０５】
図４は、試験時間における無線通信デバイスのアンテナの送信電力の時系列図である。図４に示されるように、アンテナ切り替えが、試験時間中に２回実行される。第１のアンテナの送信時間はｔ１およびｔ１'であり、第２のアンテナを用いて無線周波数信号が送信される継続時間はｔ２である。各アンテナの送信時間が試験時間の合計の長さを下回っているので、合計試験時間において各アンテナに蓄積したＲＦ放射エネルギーは低減し、各アンテナにおけるＳＡＲ値は限界を超えていない。従って、無線通信デバイスは、ＳＡＲ値の検出についての要件を満たす。例えば、６分の試験時間中、各アンテナにおいて発生するＲＦ放射エネルギーが限界を超えない場合、アンテナ切り替えは、１回実行され得るか、または複数回実行され得る。無線通信デバイス上で電力バックオフが実行されないので、無線通信デバイスの通信品質が保証される。
【０１０６】
携帯電話を例として用いて、以下では、無線通信デバイスのＳＡＲ値を低減する前述の技術的解決手段を説明する。図４ａは、ＦＣＣ認証中の携帯電話の最上部におけるＳＡＲ値の試験の概略図である。図４ｂは、ＦＣＣ認証中の携帯電話の前部におけるＳＡＲ値の試験の概略図である。図４ａおよび図４ｂにおいて、携帯電話１０と、人体組織をシミュレートする吸収器２０とが含まれる。携帯電話１０は、携帯電話の後部１１と、携帯電話の前部１２と、携帯電話の最上部１３と、携帯電話の底部１４とを含む。携帯電話の２つのアンテナ１５Ａおよび１５Ｂはそれぞれ、携帯電話の最上部１３と底部１４とに配置される。携帯電話の最上部１３におけるアンテナ１５Ａの位置と携帯電話の底部１４におけるアンテナ１５Ｂの位置との間の距離は、吸収器上の１ｇの立方体の測定された長さを上回る。ＳＡＲ値の試験時間は６分である。
【０１０７】
図４ａに示されるように、携帯電話の最上部１３におけるＳＡＲ値が試験される場合、携帯電話の最上部１３は、吸収器２０の検出距離内に配置される。携帯電話１０のサイズが原因で、携帯電話１０の別の領域（例えば、底部１４）と吸収器との間の距離が検出距離を上回ることが分かり得る（図３ａに示されるように、携帯電話の底部は、頭部ＳＡＲ試験中、人体から遠く離れている）。携帯電話が常に、最上部におけるアンテナ１５Ａを用いて無線周波数信号を最大送信電力で送信する場合、携帯電話の最上部に近い、吸収器上の１ｇの立方体（図において示される破線のボックス３０Ａ）により６分間に吸収されるＲＦ放射エネルギーの値は、Ｘ  Ｗである。Ｘ  Ｗが準拠規格におけるＳＡＲ上限値に対応するＲＦ放射エネルギーを上回っている場合、携帯電話１０は限界を超えている。しかしながら、図２ｂに示される無線通信デバイスのＲＦ回路１１１０を用いてアンテナ切り替えが実行される場合、携帯電話は、最初の３分間のみ、最上部におけるアンテナ１５Ａを用いて無線周波数信号を最大送信電力で送信し、無線周波数信号を携帯電話の底部１４におけるアンテナ１５Ｂへ４分１秒で送信するために用いられる、携帯電話のアンテナを切り替える。携帯電話の底部１４が吸収器２０から遠く離れているので、吸収器により携帯電話の最上部１３から１分間に吸収されたＲＦ放射エネルギーの値はＸ／２  Ｗであり、携帯電話の最上部１３において検出される得るＳＡＲ値が効果的に低減される。ＲＦ回路１１１０を用いてアンテナ切り替えが実行された後、携帯電話が底部１４におけるアンテナ１５Ｂを用いて無線周波数信号を送信する場合、底部におけるアンテナ１５Ｂの送信電力は、最大送信電力であり得るか、または最大送信電力を下回り得ることに留意すべきである。底部におけるアンテナ１５Ｂは、吸収器から遠く離れている。従って、底部におけるアンテナ１５Ｂを用いて送信が最大送信電力で実行される場合でも、携帯電話１０のＳＡＲ値は、ＳＡＲ検出プロセスにおける限界を超えない。アンテナ切り替えの前後にアンテナ上で電力バックオフが実行されないので、無線通信デバイスの通信性能が保証される。
【０１０８】
携帯電話の前部１２におけるＳＡＲ値が試験される場合、携帯電話の前部１２は、（図３ｂに示されるように）吸収器２０の検出距離内に配置され、携帯電話の最上部および底部の両方が、身体ＳＡＲ試験中、人体に比較的近い。携帯電話１０が常に、最上部におけるアンテナ１５Ａを用いて無線周波数信号を最大送信電力で送信する場合、吸収器２０により携帯電話の前部１２から６分間に吸収されるＲＦ放射エネルギーは、携帯電話の最上部に集中する。つまり、携帯電話の最上部に近い、吸収器２０上の１ｇの立方体（図に示される破線のボックス３０Ａ）により吸収されるＲＦ放射エネルギーの値は、Ｙ  Ｗである。Ｙ  Ｗが準拠規格におけるＳＡＲ上限値に対応するＲＦ放射エネルギーを上回っている場合、携帯電話１０は限界を超えている。しかしながら、図２ｂに示される無線通信デバイスのＲＦ回路１１１０を用いてアンテナ切り替えが実行される場合、携帯電話１０は、最初の３分間で、最上部におけるアンテナ１５Ａを用いて無線周波数信号を最大送信電力で送信し、次の３分間で、携帯電話の底部におけるアンテナ１５Ｂを用いて無線周波数信号を最大送信電力で送信する。送信は、２つのアンテナを用いて両方とも最大送信電力で６分間実行されるが、ＲＦ放射エネルギーは、携帯電話の最上部および底部という２つの領域へオフロードされる。２つの領域は別々に、携帯電話の最上部に近い、吸収器の１ｇの立方体（図に示される破線のボックス３０Ａ）と、携帯電話の底部に近い、吸収器の１ｇの立方体（図に示される破線のボックス３０Ｂ）とに対応する。各立方体により吸収されるＲＦ放射エネルギーはＹ／２Ｗであり、各立方体の検出結果は限界を超えない。従って、携帯電話の前部１２におけるＳＡＲ値は、限界を超えない。アンテナ切り替えの前後にアンテナ上で電力バックオフが実行されないので、無線通信デバイスの通信性能が保証される。
【０１０９】
異なる適用シナリオでは、異なるアンテナ切り替え条件が設定される。無線通信デバイスのＳＡＲ値を低減する前述の技術的解決手段は複数の実装形態を含み、これらの実装形態は以下で別々に説明される。
【０１１０】
以下の実施形態における方法は、無線通信デバイスに適用される。無線通信デバイスは、第１のアンテナおよび第２のアンテナを含む。特定の実施形態が説明される場合、「第１の」および「第２の」は、説明される対象の間での区別のために用いられるに過ぎず、説明される対象に対する限定を構成しないことに留意すべきである。
【０１１１】
以下の複数の実施形態を説明する前に、簡単な説明のために、以下の複数の実施形態において用いられ得る名詞をここでまとめて説明する。
【０１１２】
「第１の予め設定された電力」：第１の予め設定された電力は、第１のアンテナのアンテナ送信電力以下であり、ＳＡＲ規格において指定されるＳＡＲ上限値に対応する。第１のアンテナを用いて、第１の予め設定された電力を上回る電力で送信が実行される場合、無線通信デバイスの第１のアンテナにおけるＳＡＲ値は限界を超え得る。
【０１１３】
ＳＡＲ上限値が第１のアンテナのアンテナ送信電力に対応していることは、無線周波数信号が常に第１のアンテナを用いてこの送信電力で受信または送信される場合、無線通信デバイスのＳＡＲ値は、ＳＡＲ規格において指定されるＳＡＲ上限値と等しいことを意味する。例えば、米国ＦＣＣ規制において指定される、無線通信デバイスのＳＡＲ上限値は、１．６Ｗ／ｋｇである。試験時間中、アンテナの送信電力が常に２１ｄＢｍ以下である場合、アンテナに近い、無線通信デバイスの領域におけるＳＡＲ値は、試験における限界を超えていない。試験時間中、アンテナの送信電力が常に２１ｄＢｍを上回っている場合、アンテナに近い、無線通信デバイスの領域におけるＳＡＲ値は、試験における限界を超えている。従って、１．６Ｗ／ｋｇに対応するアンテナの送信電力は２１ｄＢｍであり、第１の予め設定された電力の値は２１ｄＢｍ以下である。
【０１１４】
「第２の予め設定された電力」：第２の予め設定された電力および第１の予め設定された電力は、同じ意味を有する。つまり、第２の予め設定された電力は、ＳＡＲ規格において指定されるＳＡＲ上限値に対応する、第２のアンテナのアンテナ送信電力以下である。第２の予め設定された電力の値は、第１の予め設定された電力の値と同じであり得るか、または第１の予め設定された電力の値とは異なり得る。これは本願において限定されない。
【０１１５】
無線通信デバイスに配置される位置と、アンテナの形状と、アンテナの遮蔽設計とは全て、各アンテナを用いて無線周波数信号が送信される場合に検出され得るＳＡＲ値の値に影響を及ぼす。従って。同じＳＡＲ値に対応する、異なるアンテナの送信電力は異なり得る。
【０１１６】
「第１の期間」：第１の期間の開始時点は、第１のアンテナの送信電力が第１の予め設定された電力を上回った時点である。第１の期間が経過した時に、無線通信デバイスは、第１のアンテナの使用を停止して、第２のアンテナを用いた無線周波数信号の送信を開始する。
【０１１７】
具体的には、第１の期間の長さは、ＳＡＲ規格において指定される、ＳＡＲ試験の試験継続時間を下回る。第１のアンテナの送信電力が第１の予め設定された電力を上回っている場合、第１の期間中、第１のアンテナを用いた第１の予め設定された電力を上回る送信電力での送信の実行が継続的に続き、無線通信デバイスのＳＡＲ値は限界を超えない。第１の期間は、無線通信デバイスにおいて予め設定され得る。第１のアンテナの送信電力が変わった場合、第１の期間の長さの値が変わり得る。例えば、第１のアンテナの送信電力が（第１の予め設定された電力２１ｄＢｍを上回る）２２ｄＢｍである場合、第１の期間の長さの対応する値は４０秒である。第１のアンテナの送信電力が（第１の予め設定された電力２１ｄＢｍを上回る）２３ｄＢｍである場合、第１の期間の長さの対応する値は３０秒である。第１のアンテナの送信電力と第１の期間の長さとの間のマッピング関係が、マッピングテーブルの形式で無線通信デバイスに予め格納され得る。
【０１１８】
「第２の期間」：第２の期間の開始時点は、第２のアンテナを用いた無線周波数信号の送信の開始時点である。第２の期間が経過した時に、第２のアンテナを用いた無線周波数信号の送信が停止され、別のアンテナを用いた無線周波数信号の送信が開始される。別のアンテナは、第１のアンテナであり得るか、または無線通信デバイスにおける第１のアンテナおよび第２のアンテナ以外のアンテナであり得る。
【０１１９】
「第１の検出距離」：第１の検出距離は、ＳＡＲ規格において指定される、無線通信デバイスと人体との間の距離以下である。ＳＡＲ規格では、複数の異なる検出距離が無線通信デバイスの異なる領域について別々に指定される場合、第１の検出距離は、複数の異なる検出距離における最大検出距離以下であり得るか、または第１のアンテナが配置される、無線通信デバイスの領域に対応する検出距離以下であり得る。
【０１２０】
例えば、米国ＦＣＣ認証中の、ＳＡＲ規格において指定される、無線通信デバイスのＳＡＲ値は、１．６Ｗ／ｋｇである。携帯電話の前部が人体に近い場合、携帯電話の前部と人体との間の検出距離は７ミリメートルである。
【０１２１】
「第２の検出距離」：第２の検出距離および第１の検出距離は、同じ意味を有する。第２の検出距離の値は、第１の検出距離の値と同じであり得るか、または第１の予め設定された電力の値とは異なり得る。これは本願において限定されない。
【０１２２】
「安全アンテナ」：安全アンテナは、安全アンテナを用いて無線周波数信号が送信される場合、無線通信デバイスのＳＡＲ値が限界を超えないことを意味する。安全アンテナは、以下の２つの場合を含む。
１．  アンテナの送信電力が、ＳＡＲ規格において指定されるＳＡＲ上限値に対応する、アンテナのアンテナ送信電力を下回る場合。２．  アンテナの送信電力がＳＡＲ規格において指定されるＳＡＲ上限値に対応する、アンテナのアンテナ送信電力を上回っており、かつ、アンテナと人体との間の距離が検出距離を上回っている場合。「第１の予め設定されたエネルギー」：第１の予め設定されたエネルギーは、ＳＡＲ規格において指定されるＳＡＲ上限値に対応する、第１のアンテナの無線周波数放射エネルギーを下回る。任意選択で、第１の予め設定されたエネルギーは、無線通信デバイスにおいて予め格納され得る。第２の予め設定されたエネルギーおよび第１の予め設定されたエネルギーは、同じ意味を有する。第２の予め設定されたエネルギーの値は、第１の予め設定されたエネルギーの値と同じであり得るか、または第１の予め設定されたエネルギーの値とは異なり得る。これは本願において限定されない。
【０１２３】
無線通信デバイスは通常、ベースバンドチップを用いてアンテナの送信電力を制御することに留意すべきである。以下の２つのタイプのベースバンドチップの両方が、前述の技術的解決手段を用いる無線通信デバイスに適用され得る。第１のタイプのベースバンドチップは、常にアンテナを用いて最大電力で無線周波数信号を送信するよう命令し、アンテナの送信電力は、データ送信プロセスにおいて一定である。第２のタイプのベースバンドチップは、電力制御機能を有する。つまり、電力消費を制御するために、ベースバンドチップは、アンテナを用いて無線周波数信号を変動する電力で送信するよう制御し、アンテナの送信電力は、データ送信プロセスにおいて一定ではない。
【０１２４】
［実施形態１］  図５Ａおよび図５Ｂは、本発明による、無線通信デバイスのＳＡＲを制御するための方法の第１の実施形態の概略フローチャートである。実施形態１において、無線通信デバイスは、検出モジュールをさらに含む。検出モジュールは、人体、または人体組織（以下では説明を容易にするために「人体」と総称される）をシミュレートする吸収器が無線通信デバイスに近いかどうかを検出し得る。具体的には、検出モジュールは、近接センサ、静電容量センサ、赤外線センサ等であり得る。任意選択で、検出モジュールは別々に、第１のアンテナおよび第２のアンテナの近くに配置される。図５に示されるように、方法１０００は、以下の段階を含む。
【０１２５】
段階Ｓ１０１：第１のアンテナの送信電力をモニタリングして、第１のアンテナの送信電力が第１の予め設定された電力を上回っているかどうかを判断し、第１のアンテナの送信電力が第１の予め設定された電力を上回っている場合、第１のアンテナを用いた無線周波数信号の送信を続けると共に、段階Ｓ１０３を実行し、第１のアンテナの送信電力が第１の予め設定された電力を下回っている場合、方法１０００を終了する。
【０１２６】
第１のアンテナを用いて無線周波数信号を送信する場合、無線通信デバイスは、ＲＦ放射を発生させる。ＲＦ放射エネルギーはアンテナの送信電力と正の相関があるので、アンテナを用いて無線周波数信号が送信される場合に無線通信デバイスのＳＡＲが限界を超えているかどうかが、アンテナの送信電力の値に従って決定され得る。
【０１２７】
段階Ｓ１０３：人体と第１のアンテナとの間の距離を検出して、人体と第１のアンテナとの間の距離が第１の検出距離を下回っているかどうかを判断する。
【０１２８】
人体と第１のアンテナとの間の距離が第１の検出距離を上回っているか、または無線通信デバイスが人体を見つけ出すのに失敗した場合には、第１のアンテナの送信電力が予め設定された電力を上回っている場合でも、人体に放射による損傷は生じず、ＳＡＲ低減処理は、無線通信デバイスに対して実行される必要がない。この場合、方法１０００は終了する。第１のアンテナの送信電力が第１の予め設定された電力を上回っており、かつ、人体と第１のアンテナとの間の距離が第１の検出距離を下回っていることが検出された場合、これは、アンテナに近い、無線通信デバイスの領域が人体に比較的近いこと、人体により吸収されたＲＦ放射エネルギーの値がＳＡＲ規格を満たし得ないこと、および段階Ｓ１０９および段階Ｓ１０５が実行されることを示している。
【０１２９】
段階Ｓ１０１およびＳ１０３の一連の実行は限定されず、段階Ｓ１０３は段階Ｓ１０１の前に実行され得る。特定の距離検出方法は、検出モジュールが人体と検出モジュールとの間の距離を検出することであり得る。無線通信デバイスにおけるアンテナの配置位置は固定されているので、人体と第１のアンテナとの間の距離は、人体と検出モジュールとの間の距離に従って決定され得る。例えば、静電容量センサは、携帯電話の最上部に配置される。人体が携帯電話の最上部に近い場合、静電容量センサの容量値が変わり、人体と第１のアンテナとの間の距離が第１の検出距離を下回っているかどうかが、可変の容量値に従って判断される。複数の特定の距離検出方法が存在しており、これは本願において限定されない。
【０１３０】
段階Ｓ１０５：第２のアンテナの送信電力を検出して、第２のアンテナの送信電力が第２の予め設定された電力を上回っているかどうかを判断する。
【０１３１】
第２のアンテナの送信電力が第２の予め設定された電力を下回っている場合、第２のアンテナは安全アンテナであり、段階Ｓ１１５が実行される。第２のアンテナの送信電力が第２の予め設定された電力を上回っている場合、段階Ｓ１０７が実行される。
【０１３２】
段階Ｓ１０７：人体と第２のアンテナとの間の距離が第２の検出距離を下回っているかどうかを検出する。
【０１３３】
具体的には、人体と第２のアンテナとの間の距離を検出するための方法は、段階Ｓ１０３におけるものと同様であり、詳細は、ここでは再び説明されない。人体と第２のアンテナとの間の距離が第２の検出距離を上回っている場合、第２のアンテナは安全アンテナであるともみなされ、段階Ｓ１１７ａが実行される。つまり、第２のアンテナの送信電力は比較的高いが、第２のアンテナが人体から比較的遠く離れているので、ＳＡＲ規格を超えるＲＦ放射は、人体に生じない。第２のアンテナの送信電力が第２の予め設定された電力を上回っている場合、人体と第２のアンテナとの間の距離は、第２の検出距離を下回っており、第２のアンテナは非安全アンテナとみなされ、段階Ｓ１１５が実行される。段階Ｓ１０５およびＳ１０７の一連の実行は限定されず、段階Ｓ１０７は段階Ｓ１０５の前に実行され得る。
【０１３４】
任意選択で、検出モジュールは、無線通信デバイスにおいて省略され得る。つまり、段階Ｓ１０３および／または段階Ｓ１０７は、省略され得る。段階Ｓ１０３が省略される場合において、第１のアンテナの送信電力が第１の予め設定された電力を上回っているときは、第１のアンテナは、無線通信デバイスのＳＡＲ値が限界を超える事態を生じさせ得る。段階Ｓ１０７が省略される場合において、第２のアンテナの送信電力が第２の予め設定された電力を上回っているときは、第２のアンテナは非安全アンテナである。
【０１３５】
任意選択で、段階Ｓ１０５および段階Ｓ１０７は、省略され得る。段階Ｓ１０５および段階Ｓ１０７が省略される場合、第２のアンテナは非安全アンテナであるとデフォルトでみなされる。
【０１３６】
段階Ｓ１０９：第１のアンテナを用いた無線周波数信号の送信の継続時間のカウントを開始する。
【０１３７】
段階Ｓ１１１：第１のアンテナを用いた無線周波数信号の送信の継続時間が第１の期間の長さに達しているかどうかを判断して、第１のアンテナを用いた無線周波数信号の送信の継続時間が第１の期間の長さに達している場合、段階Ｓ１１３を実行し、または、第１のアンテナを用いた無線周波数信号の送信の継続時間が第１の期間の長さに達していない場合、第１のアンテナを用いた無線周波数信号の送信の継続時間が第１の期間の長さに達するまで、第１のアンテナを用いた無線周波数信号の送信を続ける。第１の期間の長さは、無線通信デバイスにおいて予め設定され得る。
【０１３８】
段階Ｓ１１３：無線周波数信号を送信するために用いられる、無線通信デバイスのアンテナを、第１のアンテナから第２のアンテナへ切り替える。
【０１３９】
第１のアンテナを用いた無線周波数信号の送信の継続時間が第１の期間の長さに達した時に、第１のアンテナの使用が停止され、第２のアンテナを用いた無線周波数信号の送信が開始される。
【０１４０】
段階Ｓ１１５：第２のアンテナの検出結果に従って第２の期間の長さを決定する。
【０１４１】
具体的には、第２のアンテナが安全アンテナであり、無線周波数信号が常に第２のアンテナを用いて送信され得る場合、無線通信デバイスのＳＡＲ値は、限界を超えない。さらに、第１のアンテナの通信性能は通常、第２のアンテナの通信性能より良い（例えば、第１のアンテナは全帯域アンテナであり、第２のアンテナは狭帯域アンテナである場合）。従って、無線通信デバイスの最適な通信性能を保証するために第２のアンテナが安全アンテナである場合でも、第１のアンテナに蓄積したＲＦ放射エネルギーが低減した後、無線通信デバイスは、無線周波数信号を送信するために、第２のアンテナを第１のアンテナへ戻すように切り替え得る。
【０１４２】
第２のアンテナが非安全アンテナである場合、第２の期間の長さは、ＳＡＲ試験の試験時間を下回っている必要がある。第２のアンテナが非安全アンテナである場合において、第２のアンテナが常に用いられるときは、無線通信デバイスのＳＡＲ値も限界を超える。従って、第２のアンテナを用いた無線周波数信号の送信の継続時間は、試験時間を上回り得ず、第２のアンテナは、ある期間にわたる送信のために用いられた後、第２のアンテナに蓄積するＲＦ放射エネルギーを低減すべく、第１のアンテナへ戻すように切り替えられる必要がある。第１のアンテナまたは第２のアンテナのいずれも安全アンテナではないが、２つのアンテナの両方に蓄積したＲＦ放射エネルギーが比較的低いので、無線通信デバイス全体のＳＡＲ値は、限界を超えていない。
【０１４３】
任意選択で、第２の期間の長さは、無線通信デバイスにおいて予め設定され得る。第２のアンテナの異なる送信電力に従って、複数の値が、第２の期間の長さについて設定され得る。
【０１４４】
任意選択で、第２の期間の長さの値は、第１のアンテナに蓄積するＲＦ放射エネルギーをゼロに低減するために必要な時間長である。
【０１４５】
任意選択で、第２の期間の長さは、第１の期間の長さと等しい。
【０１４６】
段階Ｓ１０５および段階Ｓ１０７が省略される場合、第２のアンテナは非安全アンテナであるとデフォルトでみなされる。それに応じて、段階Ｓ１１５が省略される。
【０１４７】
段階Ｓ１１７：第２のアンテナを用いた無線周波数信号の送信の継続時間のカウントを開始する。
【０１４８】
段階Ｓ１１９：第２のアンテナを用いた無線周波数信号の送信の継続時間が第２の期間の長さに達っしているかどうかを判断して、第２のアンテナを用いた無線周波数信号の送信の継続時間が第２の期間の長さに達している場合、段階Ｓ１２１を実行する。
【０１４９】
段階Ｓ１２１：第２のアンテナを第１のアンテナへ切り替え、段階Ｓ１０１へ戻る。
【０１５０】
つまり、第２のアンテナを用いた無線周波数信号の送信の継続時間が第２の期間の長さに達した時に、第１のアンテナの使用が停止され、第２のアンテナを用いた無線周波数信号の送信が開始される。
【０１５１】
具体的には、以下では、図５ａおよび図５ｂを参照して、段階Ｓ１０９から段階Ｓ１１９を別々に説明する。図５ａは、第２のアンテナが安全アンテナである場合における無線通信デバイスのアンテナの送信電力の時系列図である。図５ｂは、第２のアンテナが非安全アンテナである場合における無線通信デバイスのアンテナの送信電力の時系列図である。図５ａおよび図５ｂにおいて、第１の期間の長さおよび第２の期間の長さは、無線通信デバイスにおいて予め設定される。
【０１５２】
図５ａに示されるように、第１のアンテナの送信電力が第１の予め設定された電力を上回っている場合、第１のアンテナを用いた無線周波数信号の送信が続けられ、第１のアンテナの送信時間（つまり、第１のアンテナを用いた無線周波数信号の送信の継続時間）のカウントが開始される。第１のアンテナの送信時間、つまり、図５ａにおけるｔ１が第１の期間の長さＴ１と等しい場合、第１のアンテナを用いた無線周波数信号の送信が停止され、無線周波数信号を送信するために、第１のアンテナは、第２のアンテナへ切り替えられる。Ｔ１は試験時間Ｔｍａｘを下回る。第２のアンテナを用いた無線周波数信号の送信の送信時間、つまり、第２のアンテナを用いた無線周波数信号の送信の継続時間ｔ２が計算される。第１のアンテナの通信性能は第２のアンテナの通信性能より良いので、第２のアンテナを用いた無線周波数信号の送信の継続時間ｔ２が第２の期間の長さＴ２と等しい場合、第２のアンテナを用いた無線周波数信号の送信が停止され、無線周波数信号を送信するために、第２のアンテナは、第１のアンテナへ切り替えられる。無線通信デバイスのＳＡＲ値が限界を超えないことが保証されている場合、通信デバイスの通信品質が最適化される。
【０１５３】
第１のアンテナへ戻すように切り替えられた後、第１のアンテナの送信電力が第１の予め設定された電力を上回っているかどうかが再び検出される。第１のアンテナの送信電力が第１の予め設定された電力を上回った後、第１のアンテナの各送信時間が第１の期間の長さＴ１と等しい、つまり、ｔ１＝ｔ１'＝ｔ１"＝Ｔ１であることが、図５ａから分かり得る。アンテナ切り替えが実行された後、第２のアンテナを用いた無線周波数信号の送信の各継続時間は、第２の期間の長さＴ２と等しい、つまり、ｔ２＝ｔ２'＝ｔ２"＝Ｔ２である。第１のアンテナの送信電力が第１の予め設定された電力を上回っていない場合、第１のアンテナの送信時間はカウントされる必要がなく、アンテナ切り替えは実行される必要がない。図５ａにおいて、アンテナ１の送信電力およびアンテナ２の送信電力は、一定であり得るか、または一定であり得ない。これは、アンテナの送信電力を制御するチップに依存する。
【０１５４】
図５ａとは異なり、図５ｂでは、第２のアンテナは非安全アンテナであり、第２のアンテナの送信電力は第２の予め設定された電力を上回っている。図５ｂにおいて、第２のアンテナを用いた無線周波数信号の送信の各継続時間は、第２の期間の長さＴ２'と等しい、つまり、ｔ２＝ｔ２'＝ｔ２"＝Ｔ２である。第２の期間の長さＴ２は、試験時間Ｔｍａｘを下回っている。従って、第２の予め設定された電力を上回り、かつ、最大送信電力以下である送信電力で、第２のアンテナを用いて送信がＴ２'にわたって継続的に実行された後、無線通信デバイスのＳＡＲ値は、限界を超えていない。第１の期間Ｔ１'および第２の期間の長さＴ２は、固定値であり得るか、または、それに応じてそれぞれ、第１のアンテナの異なる送信電力および第２のアンテナの異なる送信電力と共に変わり得る。第１の期間Ｔ１'の値と第２の期間の長さＴ２の値との組み合わせ、および第１のアンテナの送信電力の値と第２のアンテナの送信電力の値との組み合わせが、マッピング関係の形式で無線通信デバイスにおいて予め格納され得る。
【０１５５】
表１は、異なるシナリオにおける無線通信デバイスのＳＡＲ値の試験結果である。設定に従って第１のアンテナと第２のアンテナとの間で切り替えが実行された場合、無線通信デバイスの検出されたＳＡＲ値が効果的に低減されていることが、表１から分かり得る。
【表１】
2019527507.tif 000004
【０１５６】
表２は、異なるシナリオにおける切り替え中の無線通信デバイスの通話停止性能の試験結果である。設定に従って第１のアンテナと第２のアンテナとの間で切り替えが実行された場合、無線通信デバイスの通信性能が、電力バックオフを通じて無線通信デバイスのＳＡＲ値を制御するための方法と比較して効果的に改善されたことが、表２および表３から分かり得る。
【表２】
2019527507.tif 000005
【表３】
2019527507.tif 000006
【０１５７】
［実施形態２］  図６Ａおよび図６Ｂは、本発明による、無線通信デバイスのＳＡＲを制御するための方法の第２の実施形態の概略フローチャートである。図６Ａおよび図６Ｂに示されるように、方法２０００は、以下の段階を含む。
【０１５８】
段階Ｓ２０１から段階Ｓ２０７は、図５Ａおよび図５Ｂに示される手順における段階Ｓ１０１から段階Ｓ１０７と同様である。具体的な内容については、段階Ｓ１０１から段階Ｓ１０７における説明を参照されたい。簡単な説明のために、詳細は、ここでは再び説明されない。
【０１５９】
任意選択で、検出モジュールは、無線通信デバイスにおいて省略され得る。つまり、段階Ｓ２０３および／または段階Ｓ２０７は、省略され得る。段階Ｓ２０３が省略される場合において、第１のアンテナの送信電力が第１の予め設定された電力を上回っているときは、第１のアンテナは、無線通信デバイスのＳＡＲ値が限界を超える事態を生じさせ得る。段階Ｓ２０７が省略される場合において、第２のアンテナの送信電力が第２の予め設定された電力を上回っているときは、第２のアンテナは非安全アンテナである。
【０１６０】
任意選択で、段階Ｓ２０５および段階Ｓ２０７は、省略され得る。段階Ｓ２０５および段階Ｓ２０７が省略される場合、第２のアンテナは非安全アンテナであるとデフォルトでみなされる。
【０１６１】
段階Ｓ２０９：第１のアンテナを用いた無線周波数信号の送信の継続時間のカウントを開始して、第１の期間中に第１のアンテナに蓄積したＲＦ放射エネルギーの計算を開始する。
【０１６２】
ＲＦ放射エネルギーを決定するための複数の特定の方法が存在しており、これは、本明細書において具体的に限定されない。例えば、送信電力とＲＦ放射エネルギーとの間のマッピングテーブルが、無線通信デバイスにおいて予め設定される。マッピングテーブルは、ＲＦ放射エネルギーと送信電力の和との間のマッピング関係を含む。第１の期間において、第１のアンテナの送信電力の複数の値が、リアルタイムで検出されるか、またはタイミングサンプリングを通じて検出される。第１の期間において、和を取得すべく、第１のアンテナの送信電力の複数の値に対して積分計算が実行される。次に、電力の値の和に対応するＲＦ放射エネルギーの値が、表を検索することにより決定される。
【０１６３】
段階Ｓ２１１：第１のアンテナを用いた無線周波数信号の送信の継続時間が第１の期間の長さに達っしているかどうかを判断して、第１のアンテナを用いた無線周波数信号の送信の継続時間が第１の期間の長さに達している場合、段階Ｓ２１３を実行する。
【０１６４】
段階Ｓ２１３：無線周波数信号を送信するために用いられる、無線通信デバイスのアンテナを、第１のアンテナから第２のアンテナへ切り替える。
【０１６５】
段階Ｓ２１５：第１の期間中に第１のアンテナに蓄積したＲＦ放射エネルギーと、第２のアンテナの検出結果とに従って、第２の期間の長さを決定する。
【０１６６】
第２のアンテナが安全アンテナである場合、第２の期間の長さは、第１の期間中に第１のアンテナに蓄積したＲＦ放射エネルギーに従って決定される。第１のアンテナにおけるＲＦ放射エネルギーが高い場合、第１のアンテナに蓄積したＲＦ放射エネルギーをオフロードして、無線通信デバイスのＳＡＲ値が限界を超えるのを防止すべく、第２のアンテナのＲＦ送信時間が延ばされる。第１のアンテナにおけるＲＦ放射エネルギーが低い場合、第１のアンテナの通信性能は通常、第２のアンテナの通信性能より良いので、無線通信デバイスが、無線周波数信号を可能な限り速やかに送信するために第１のアンテナへと切り替えるように、第２のアンテナのＲＦデータ送信時間が短縮される。
【０１６７】
第１の期間において、第２のアンテナは非安全アンテナであり、第２のアンテナが常に用いられる場合、無線通信デバイスのＳＡＲ値も限界を超える。従って、第２の期間の長さは、試験時間と、第１の期間中に第１のアンテナに蓄積したＲＦ放射エネルギーとに従って決定される必要がある。決定方法は、第２のアンテナが安全アンテナである場合に用いられる決定方法と同じである。差異は、第２の期間の長さが合計試験時間を下回っていることである。第２のアンテナを用いて無線周波数信号がある期間にわたって送信された後、第２のアンテナに蓄積したＲＦ放射エネルギーを低減すべく、第２のアンテナは、第１のアンテナへ再び戻すように切り替えられる必要がある。第１のアンテナまたは第２のアンテナのいずれも安全アンテナではないが、２つのアンテナの両方に蓄積したＲＦ放射エネルギーが比較的低いので、無線通信デバイス全体のＳＡＲ値は、限界を超えていない。
【０１６８】
任意選択で、第２の期間の長さは、無線通信デバイスにおいて予め設定され得る。第２のアンテナの異なる送信電力に従って、複数の値が、第２の期間の長さについて設定され得る。
【０１６９】
任意選択で、第２の期間の長さの値は、第１のアンテナに蓄積するＲＦ放射エネルギーをゼロに低減するために必要な時間長である。
【０１７０】
任意選択で、第２の期間の長さは、第１の期間の長さと等しい。
【０１７１】
段階Ｓ２０５および段階Ｓ２０７が省略される場合、第２のアンテナは非安全アンテナであるとデフォルトでみなされる。段階Ｓ２１５において、第２の期間の長さが、第１の期間中に第１のアンテナに蓄積したＲＦ放射エネルギーに従って決定される。
【０１７２】
段階Ｓ２１７：第２のアンテナを用いた無線周波数信号の送信の継続時間のカウントを開始する。
【０１７３】
段階Ｓ２１９：第２のアンテナを用いた無線周波数信号の送信の継続時間が第２の期間の長さに達っしているかどうかを判断して、第２のアンテナを用いた無線周波数信号の送信の継続時間が第２の期間の長さに達している場合、段階Ｓ２２１を実行する。
【０１７４】
段階Ｓ２２１：第２のアンテナを第１のアンテナへ切り替え、段階Ｓ２０１へ戻る。
【０１７５】
方法１０００とは異なり、方法２０００では、第２の期間の長さは、予め設定された値ではなく、第１の期間中に第１のアンテナにおいて累積的に発生したＲＦ放射エネルギーに従って決定され、第２のアンテナの送信時間の長さは、動的に調整される。
【０１７６】
本発明の本実施形態における技術的解決手段において、無線通信デバイスのＳＡＲ値が限界を超えないことが保証されている場合、無線通信デバイスの通信品質を向上させるべく、第２のアンテナを用いた無線周波数信号の送信時間が短縮される。方法２０００における、方法１０００に対応する段階については、方法１０００における特定の説明を参照されたい。詳細は、ここでは再び説明されない。
【０１７７】
具体的には、以下では、図６ａおよび図６ｂを参照して、段階Ｓ２０９から段階Ｓ２１１を別々に説明する。図６ａは、第２のアンテナが安全アンテナである場合における無線通信デバイスのアンテナの送信電力の時系列図である。図６ｂは、第２のアンテナが非安全アンテナである場合における無線通信デバイスのアンテナの送信電力の時系列図である。
【０１７８】
図６ａに示されるように、第１のアンテナの送信電力が第１の予め設定された電力を上回っている場合、第１のアンテナを用いた無線周波数信号の送信が続けられ、第１のアンテナの送信時間のカウントが開始され、第１のアンテナにおいて累積的に発生したＲＦ放射エネルギーＥ１が計算される。第１のアンテナを用いた無線周波数信号の連続送信の継続時間ｔ１が第１の期間の長さＴ１と等しい場合、第１のアンテナを用いた無線周波数信号の送信が停止され、無線周波数信号を送信するために、第１のアンテナは、第２のアンテナへ切り替えられる。Ｔ１は試験時間Ｔｍａｘを下回っている。第２のアンテナを用いた無線周波数信号の送信の継続時間ｔ２のカウントが開始される。第２の期間の長さＴ２が、第１のアンテナに蓄積したＲＦ放射エネルギーＥ１に従って決定される。ＲＦ放射エネルギーＥ１がより大きいことは、時間Ｔ２がより長いことを示しており、ＲＦ放射エネルギーＥ１がより小さいことは、時間Ｔ２がより短いことを示している。第２のアンテナを用いた無線周波数信号の送信の継続時間ｔ２が第２の期間の長さＴ２と等しい場合、第２のアンテナを用いた無線周波数信号の送信が停止され、無線周波数信号を送信するために、第２のアンテナは、第１のアンテナへと切り替えられる。第２のアンテナの送信時間は、無線通信デバイスのＳＡＲ値が限界を超えないことが保証されている場合、無線通信デバイスの通信品質を最適化すべく、第１のアンテナのデータ送信時間が可能な限り延ばされるように、第１のアンテナに蓄積したＲＦ放射エネルギーに従って決定される。
【０１７９】
第１のアンテナへ戻すように切り替えられた後、第１のアンテナの送信電力が第１の予め設定された電力を上回っているかどうかが再び検出される。第１のアンテナの送信電力が第１の予め設定された電力を上回った後、第１のアンテナの各送信時間が第１の期間Ｔ１と等しい、つまり、ｔ１＝ｔ１'＝ｔ１"＝Ｔ１であることが、図６ａから分かり得る。アンテナ切り替えが実行された後、各切り替え中に決定される、第２のアンテナを用いた無線周波数信号の送信の継続時間は、第２の期間の長さＴ２と共に変わる。第１のアンテナの送信電力が第１の予め設定された電力を上回っていない場合、第１のアンテナの送信時間はカウントされる必要がなく、アンテナ切り替えは実行される必要がない。図６ａにおいて、アンテナ１の送信電力およびアンテナ２の送信電力は、一定であり得るか、または一定であり得ない。これは、アンテナを制御するチップの制御に依存する。
【０１８０】
図６ａとは異なり、図６ｂでは、第２のアンテナは非安全アンテナであり、第２のアンテナの送信電力は第２の予め設定された電力を上回っている。従って、長さＴ２は、ＲＦ放射エネルギーＥ１に従って決定される、第２のアンテナの第２の期間の試験時間Ｔｍａｘを下回っている必要がある。
【０１８１】
［実施形態３］  図７Ａおよび図７Ｂは、本発明による、無線通信デバイスのＳＡＲを制御するための方法の第３の実施形態の概略フローチャートである。図７Ａおよび図７Ｂに示されるように、方法３０００は、以下の段階を含む。
【０１８２】
段階Ｓ３０１から段階Ｓ３０７は、図５Ａおよび図５Ｂに示される手順における段階Ｓ１０１から段階Ｓ１０７と同様である。具体的な内容については、段階Ｓ１０１から段階Ｓ１０７における説明を参照されたい。簡単な説明のために、詳細は、ここでは再び説明されない。
【０１８３】
段階Ｓ３０９：第１のアンテナの送信電力が第１の予め設定された電力を上回っている場合、第１のアンテナにおいて累積的に発生したＲＦ放射エネルギーを決定する。
【０１８４】
段階Ｓ３１１：第１のアンテナにおいて累積的に発生したＲＦ放射エネルギーが第１の予め設定されたエネルギーに達しているかかどうかを判断して、第１のアンテナに蓄積ｓたＲＦ放射エネルギーが第１の予め設定されたエネルギーに達している場合、段階Ｓ２１３を実行する。
【０１８５】
段階Ｓ３１３：無線周波数信号を送信するために用いられる、無線通信デバイスのアンテナを第１のアンテナから第２のアンテナへ切り替える。
【０１８６】
段階Ｓ３１５：第２のアンテナの検出結果に従って第２の期間の長さを決定する。
【０１８７】
第２のアンテナが安全アンテナである場合、第２のアンテナを用いた無線周波数信号の送信の継続時間によっては、無線通信デバイスのＳＡＲ値が限界を超える事態は生じない。第２のアンテナが非安全アンテナである場合、第２のアンテナを用いた無線周波数信号の送信の継続時間が過剰に長いと、無線通信デバイスのＳＡＲ値が限界を超える事態が生じる。従って、第２の期間の長さは、試験時間を超え得ない。第２の期間の長さは、無線通信デバイスにおいて予め設定され得、第２のアンテナが安全アンテナであるかどうかに従って、異なる値が別々に設定され得る。
【０１８８】
任意選択で、第２のアンテナの異なる送信電力に従って、複数の値が、第２の期間の長さについて設定され得る。
【０１８９】
任意選択で、第２の期間の長さの値は、第１のアンテナに蓄積するＲＦ放射エネルギーをゼロに低減するために必要な時間長である。
【０１９０】
任意選択で、第２の期間の長さは、第１の期間の長さと等しい。段階Ｓ３０５および段階Ｓ３０７が省略される場合、第２のアンテナは非安全アンテナであるとデフォルトでみなされ、それに応じて、段階Ｓ３１５が省略される。
【０１９１】
段階Ｓ３１７：第２のアンテナを用いた無線周波数信号の送信の継続時間のカウントを開始する。
【０１９２】
段階Ｓ３１９：第２のアンテナを用いた無線周波数信号の送信の継続時間が第２の期間の長さに達っしているかどうかを判断して、第２のアンテナを用いた無線周波数信号の送信の継続時間が第２の期間の長さに達している場合、段階Ｓ３２１を実行する。
【０１９３】
段階Ｓ３２１：無線周波数信号を送信するために用いられる、無線通信デバイスのアンテナを第２のアンテナから第１のアンテナへ切り替えて、段階Ｓ３０１へ戻る。
【０１９４】
方法１０００とは異なり、方法３０００では、第１の期間の長さは、無線通信デバイスにおいて予め設定されないが、第１の予め設定されたエネルギーの値が、無線通信デバイスにおいて予め設定される。第１のアンテナの送信電力が第１の予め設定された電力を上回っている場合、第１のアンテナを用いた無線周波数信号の送信が続けられ、第１のアンテナを用いた無線周波数信号の送信が続けられる場合に蓄積するＲＦ放射エネルギーの値の計算が開始される。第１のアンテナに蓄積したＲＦ放射エネルギーが第１の予め設定されたエネルギーに達した時に、無線周波数信号を送信するために用いられる、無線通信デバイスのアンテナは、第２のアンテナへ切り替えられる。第１の予め設定されたエネルギーは、ＳＡＲ規格において指定されるＳＡＲ上限値に対応する、第１のアンテナのＲＦ放射エネルギーを下回る。従って、第１のアンテナに蓄積したＲＦ放射エネルギーが第１の予め設定されたエネルギーに達する前に、第１のアンテナを用いた無線周波数信号の送信が停止され、第１のアンテナにおけるＲＦ放射エネルギーの増加が停止するので、第１のアンテナのＳＡＲ値は、限界を超えない。
【０１９５】
第１のアンテナの送信電力が高い場合、蓄積ＲＦ放射エネルギーは、比較的短時間で第１の予め設定されたエネルギーに達する。それに応じて、第１のアンテナのＲＦデータ送信時間は短くなり、無線通信デバイスのＳＡＲ値が限界を超えるのが防止される。第１のアンテナの送信電力が低い場合、蓄積ＲＦ放射エネルギーは、比較的長時間で第１の予め設定されたエネルギーに達する。それに応じて、第１のアンテナのＲＦデータ送信時間がより長くなる。第１のアンテナの通信性能は通常、第２のアンテナの通信性能より良いので（例えば、第１のアンテナが全帯域アンテナであり、第２のアンテナが狭帯域アンテナである場合）、無線通信デバイスのＳＡＲ値が限界を超えないことが保証されている場合、無線通信デバイスお通信品質を向上させるべく、第１のアンテナを用いた無線周波数信号の送信時間が延ばされる。方法３０００における、方法１０００に対応する段階については、方法１０００における特定の説明を参照されたい。詳細は、ここでは再び説明されない。具体的には、以下では、図７ａおよび図７ｂを参照して、段階Ｓ３０９から段階Ｓ３１９を別々に説明する。図７ａは、第２のアンテナが安全アンテナである場合における無線通信デバイスのアンテナの送信電力の時系列図である。図７ｂは、第２のアンテナが非安全アンテナである場合における無線通信デバイスのアンテナの送信電力の時系列図である。
【０１９６】
図７ａに示されるように、第１のアンテナの送信電力が第１の予め設定された電力を上回っている場合、第１のアンテナを用いた無線周波数信号の送信が続けられ、第１のアンテナに蓄積したＲＦ放射エネルギーＥ２が計算される。第１のアンテナに蓄積したＲＦ放射エネルギーＥ２が第１の予め設定されたエネルギーＥ２ｍａｘに達した時に、無線周波数信号を送信するために、第１のアンテナは、第２のアンテナへ切り替えられる。第２のアンテナを用いた無線周波数信号の送信の送信時間、つまり、第２のアンテナを用いた無線周波数信号の送信の継続時間ｔ２のカウントが開始される。第１のアンテナの通信性能は第２のアンテナの通信性能より良いので、第２のアンテナを用いた無線周波数信号の送信の継続時間ｔ２が第２の期間の長さＴ２と等しい場合、第２のアンテナを用いた無線周波数信号の送信が停止され、無線周波数信号を送信するために、第２のアンテナは、第１のアンテナへ切り替えられる。
【０１９７】
第１のアンテナへ戻すように切り替えられた後、第１のアンテナの送信電力が第１の予め設定された電力を上回っているかどうかが再び検出される。第１のアンテナの送信電力が第１の予め設定された電力を上回っている場合、第１のアンテナを用いたた無線周波数信号の送信が続けられる場合に蓄積するＲＦ放射エネルギーは不変のままであり、ＲＦ放射エネルギーが第１の予め設定されたエネルギーＥ２ｍａｘに達した時に、つまり、Ｅ２＝Ｅ２'＝Ｅ２"＝Ｅ２ｍａｘである時に、アンテナ切り替えが実行されることが、図７ａから分かり得る。アンテナ切り替えが実行された後、第２のアンテナを用いた無線周波数信号の送信の継続時間は、不変のままであり、第２の期間の長さＴ２と等しい、つまり、ｔ２＝ｔ２'＝ｔ２"＝Ｔ２である。第１のアンテナの送信電力が第１の予め設定された電力を上回っていない場合、第１のアンテナにおけるエネルギーはモニタリングされる必要がなく、アンテナ切り替えや実行される必要がない。図７ａにおいて、アンテナ１の送信電力およびアンテナ２の送信電力は、一定であり得るか、または一定であり得ない。これは、アンテナを制御するチップの制御に依存する。
【０１９８】
図７ａとは異なり、図７ｂでは、第２のアンテナは非安全アンテナであり、第２のアンテナの送信電力は第２の予め設定された電力を上回っている。従って、無線通信デバイスが、無線周波数信号を送信するために、第２のアンテナへ切り替えた場合、第２のアンテナの送信電力が第２の予め設定された電力を上回っているので、第２のアンテナが長時間にわたって継続的に用いられる場合、ＳＡＲ値は限界を超える。従って、第２のアンテナを用いた無線周波数信号の送信の最大継続時間は、ＳＡＲ値の検出の試験時間を超え得ない。つまり、第２の期間の長さＴ２は、試験時間Ｔｍａｘを下回る。図７ｂにおいて、Ｅ２＝Ｅ２'＝Ｅ２"＝Ｅ２ｍａｘ、かつ、ｔ２＝ｔ２'＝ｔ２"＝Ｔ２＜Ｔｍａｘである。第２の期間の長さＴ２'は、第２の予め設定された電力を上回り、かつ、最大送信電力以下である送信電力で、第２のアンテナを用いてＴ２'にわたって送信が継続的に実行された後、無線通信デバイスのＳＡＲ値が限界を超えないという条件を満たす必要がある。第２の期間の長さＴ２の値は、無線通信デバイスにぴて予め格納され得る。
【０１９９】
任意選択で、別の実施形態において、第２のアンテナが非安全アンテナである場合、エネルギーモニタリング方式が、第１のアンテナへ戻すように第２のアンテナを切り替えるトリガ条件として用いられる。つまり、第１のアンテナが第２のアンテナへ切り替えられた場合、第２のアンテナが非安全アンテナであるので、第２のアンテナが無線通信デバイスのＳＡＲ値が限界を超える事態を生じさせるのを防止すべく、第２のアンテナにおけるエネルギーもモニタリングされる。第２のアンテナを用いた無線周波数信号の送信が開始された時に、第２のアンテナに蓄積したＲＦ放射エネルギーの値が計算される。第２のアンテナに蓄積したＲＦ放射エネルギーが第２の予め設定されたエネルギーを上回っているか、またはが第２の予め設定されたエネルギーと等しい場合、無線周波数信号を送信するために、第１のアンテナは、第２のアンテナへ切り替えられる。第２の予め設定されたエネルギーは、ＳＡＲ規格において指定されるＳＡＲ上限値に対応する、第２のアンテナにおけるＲＦ放射エネルギーを下回る。第２の予め設定されたエネルギーは、無線通信デバイスにおいて予め格納され得る。
【０２００】
図７ｃは、第２のアンテナが非安全アンテナである場合における無線通信デバイスのアンテナの送信電力の時系列図である。第１のアンテナの送信電力が第１の予め設定された電力を上回っている場合、第１のアンテナを用いた無線周波数信号の送信が続けられることが、図７ｃから分かり得る。第１のアンテナに蓄積したＲＦ放射エネルギーＥ２が第１の予め設定されたエネルギーＥ２ｍａｘに達した時に、データ送信のために用いられる、無線通信デバイスのアンテナは、第２のアンテナへ切り替えられる。第２のアンテナの送信電力が第２の予め設定された電力を上回っている場合、データ送信プロセス中に第２のアンテナに蓄積したＲＦ放射エネルギーＥ３が計算される。データ送信プロセス中に第２のアンテナに蓄積したＲＦ放射エネルギーＥ３が第２の予め設定されたエネルギーＥ３ｍａｘに達している場合、無線周波数信号を送信するために、第２のアンテナは、第１のアンテナへ戻るように切り替えられる。第１のアンテナの送信電力が再びモニタリングされる。
【０２０１】
第１のアンテナの送信電力および第２のアンテナの送信電力が動的に変化した場合、ＳＡＲ値が限界を超えないようにしながら通信性能を最適化すべく、第１のアンテナにおけるＲＦ放射エネルギーおよび第２のアンテナにおけるＲＦ放射エネルギーは、直接検出される。
【０２０２】
［実施形態４］  前述の実施形態を参照すると、第２のアンテナの送信電力が第２の予め設定された電力を下回っているか、または第２のアンテナが人体から遠く離れている場合、第２のアンテナは安全アンテナである。（図５ａ、図６ａおよび図７ａに示される）前述の実施形態において、第１のアンテナの通信性能は、第２のアンテナの通信性能より良いものとデフォルトでみなされる。従って、第２のアンテナが安全アンテナである場合でも、第２のアンテナを用いた無線周波数信号の送信の継続時間は可能な限り短いものであるべきであり、可能であるときにはいつでも、無線周波数信号は第１のアンテナを用いて送信されることが期待される。しかしながら、第２のアンテナの通信性能は、多くの場合、第１のアンテナの通信性能より良好であり得る。例えば、第２のアンテナの周波数帯は、第１のアンテナの周波数帯よりも広いか、または、第１のアンテナがユーザにより握られるので、信号が干渉を受け、「デスグリップ」が生じる。
【０２０３】
第２のアンテナが安全アンテナであり、第２のアンテナの通信性能がより良い場合、第２のアンテナのデータ送信時間が延び得る。
【０２０４】
図８は、前述の実施形態を参照して第２のアンテナを用いた無線周波数信号の送信の継続時間を調整するための方法のフローチャートである。図８に示されるように、前述の実施形態における段階に加え、本実施形態の方法４０００は以下の段階を含む。
【０２０５】
段階Ｓ４０１：第２のアンテナを用いて無線周波数信号が送信される場合に第２のアンテナの送信性能パラメータを取得する。
【０２０６】
段階Ｓ４０２：第２のアンテナの送信性能パラメータに従って第２の期間の長さを延ばす。
【０２０７】
段階Ｓ４０１および段階Ｓ４０２は、第２のアンテナを用いた無線周波数信号の送信の継続時間が決定される前、および第２のアンテナの検出結果に従って第２の期間の長さが決定された後に、実行され得る。
【０２０８】
具体的には、第２のアンテナの送信性能パラメータは、限定されるものではないが、第２のアンテナの送信電力、第２のアンテナの基準信号受信電力（Ｒｅｆｅｒｅｎｃｅ  Ｓｉｇｎａｌ  Ｒｅｃｅｉｖｅｄ  Ｐｏｗｅｒ）、第２のアンテナの信号強度等というパラメータの１または複数を含む。
【０２０９】
図８ａは、第２のアンテナが安全アンテナである場合に第２のアンテナの送信電力に従って第２のアンテナを用いて無線周波数信号を送信する継続時間の調整の概略図である。図８ａに示されるように、第２のアンテナの送信電力が低い場合、基地局の受信ステータスは良好であり、この場合、第２のアンテナの通信性能は比較的良好である。従って、第２のアンテナを用いた無線周波数信号の送信の継続時間は延びる。つまり、実施形態１から実施形態３において決定される第２の期間の長さは延びる。このようにして、無線通信デバイスがＳＡＲ値についての要件を満たす場合、アンテナ切り替えが低減し、無線通信デバイスの通信品質がさらに最適化される。第２のアンテナの送信電力が比較的高い場合、無線通信デバイスのアップリンク送信は制限される。従って、第２のアンテナを用いた無線周波数信号の送信の継続時間は延びない。つまり、実施形態１から実施形態３において決定される第２の期間の長さは延びない。
【０２１０】
別の実施形態において、第２のアンテナが非安全アンテナである場合、次回のアンテナ切り替えパラメータが調整されているかどうかは、今回のアンテナ送信性能パラメータに従って判断され得る（実施形態１において、切り替えパラメータは、第１の期間Ｔ１と第２の期間の長さＴ２とであり、実施形態２において、切り替えパラメータは、第１の期間Ｔ１と第２の期間の最大長さＴ２ｍａｘとであり、実施形態３において、切り替えパラメータは、第１の予め設定されたエネルギーＥ２ｍａｘと、第２の期間の長さＴ２または第２の予め設定されたエネルギーＥ３ｍａｘとである）。調整された切り替えパラメータは、研究所での試験後もさらにＳＡＲ規格を満たす切り替えパラメータである。調整された切り替えパラメータも、無線通信デバイスにおいて予め設定される。
【０２１１】
例えば、実施形態１において切り替えパラメータについては、１回目のアンテナ切り替えにおいて、第１のアンテナの第１の期間Ｔ１は１秒と等しく、第１のアンテナの第２の期間の長さＴ２は１秒と等しいと判断されるものと仮定する。アンテナを用いた１回目の送信プロセスにおいて、アンテナ１の性能がアンテナ２のものより良いと判断された場合、第１のアンテナの第１の期間Ｔ１は１秒と等しく、第１のアンテナの第２の期間の長さＴ２は２回目のアンテナ切り替えにおける０．５秒と等しい。
【０２１２】
別の例については、実施形態２における切り替えパラメータについて、１回目のアンテナ切り替えにおいて、第１のアンテナの第１の期間Ｔ１は１秒と等しく、第１のアンテナの第２の期間の最大長さＴ２ｍａｘは０．５秒と等しいと判断されるものと仮定する。アンテナを用いた１回目の送信プロセスにおいて、アンテナ２の性能がアンテナ１のものより良いと判断された場合、２回目のアンテナ切り替えパラメータを取得するために、第１のアンテナの第１の期間Ｔ１は短縮され、第１のアンテナの第２の期間の最大長さＴ２ｍａｘは、２回目のアンテナ切り替えにおいて増やされる。Ｔ１＝０．５秒であり、Ｔ２ｍａｘ＝１秒である。
【０２１３】
図９は、前述の実施形態に含まれる無線通信デバイスの可能な概略構造図である。
【０２１４】
無線通信デバイス１０は、第１のアンテナ１０１と、第２のアンテナ１０２と、無線周波数回路１０３とプロセッサ／コントローラ１０４とを含む。無線周波数回路１０３は、無線周波数送受信機回路とも称され得る。当業者であれば、図９に示される無線通信デバイスの構造は、無線通信デバイスに対する限定を構成しないことを理解し得る。無線通信デバイスは、図に示されるものより多いかまたはより少ないコンポーネントを含み得るか、いくつかのコンポーネントを組み合わせ得るか、いくつかのコンポーネントを分割し得るか、または異なるコンポーネント構成を有し得る。
【０２１５】
第１のアンテナ１０１は無線周波数信号を送信するように構成され、第２のアンテナは無線周波数信号を送信するように構成される。無線通信デバイス１０における第１のアンテナ１０１の位置と第２のアンテナ１０２の位置との間の距離は、予め設定された間隔を上回る。無線周波数回路１０３は、第１のアンテナ１０１または第２のアンテナ１０２に通信可能に接続される。プロセッサ／コントローラ１０４は、無線周波数回路１０３に通信可能に接続される。
【０２１６】
無線周波数回路１０３は、第１のアンテナ１０１に接続されており、第１のアンテナ１０１の送信電力が第１の予め設定された電力を上回った場合、第１のアンテナ１０１を用いて無線周波数信号を送信する。
【０２１７】
プロセッサ／コントローラ１０４は、第１の期間が経過した時に、無線通信デバイスがＳＡＲ規格を満たすように、第１のアンテナ１０１の使用を停止して、第２のアンテナ１０２を用いた無線周波数信号の送信を開始するよう無線周波数回路１０３に命令するように構成される。
【０２１８】
第１の予め設定された電力は、ＳＡＲ規格において指定されるＳＡＲ上限値に対応する、第１のアンテナ１０１の送信電力以下である。
【０２１９】
第１の期間の開始時点は、第１のアンテナ１０１の送信電力が第１の予め設定された電力を上回った時点であり、第１の期間の長さは、ＳＡＲ規格において指定される、ＳＡＲ試験の試験継続時間を下回る。
【０２２０】
具体的には、プロセッサ／コントローラ１０４はさらに、第１のアンテナ１０１の送信電力が第１の予め設定された電力を上回っているかどうかをモニタリングするように構成される。
【０２２１】
具体的には、プロセッサ／コントローラ１０４はさらに、第２の期間が経過した時に、第２のアンテナ１０２を用いた無線周波数信号の送信を停止して、別のアンテナを用いた無線周波数信号の送信を開始するよう無線周波数回路１０３に命令するように構成される。第２の期間の開始時点は、第２のアンテナ１０２を用いた無線周波数信号の送信の開始時点である、別のアンテナは、無線通信デバイスにおける第２のアンテナ１０２以外のアンテナである。
【０２２２】
具体的には、別のアンテナは、第１のアンテナ１０１である。
【０２２３】
具体的には、無線通信デバイスは、人体と第１のアンテナ１０１との間の距離を検出するように構成される第１のセンサをさらに含む。プロセッサ／コントローラ１０４はさらに、人体と第１のアンテナ１０１との間の距離が、ＳＡＲ規格において指定される、ＳＡＲ試験中の無線通信デバイスと人体との間の距離である第１の検出距離を下回っているかどうかを判断して、第１のアンテナ１０１の送信電力が第１の予め設定された電力を上回っており、かつ、人体と第１のアンテナ１０１との間の距離が第１の検出距離を下回っている場合、第１の期間が経過した時に、第１のアンテナ１０１の使用を停止して、第２のアンテナ１０２を用いた無線周波数信号の送信を開始するように構成される。
【０２２４】
具体的には、第１の期間の長さは、無線通信デバイスにおいて予め設定される。
【０２２５】
具体的には、プロセッサ／コントローラ１０４はさらに、第１のアンテナ１０１の送信電力が第１の予め設定された電力を上回った時に、第１のアンテナ１０１を用いた無線周波数信号の送信の継続時間のカウントを開始するように構成され、かつ、第１のアンテナ１０１を用いた無線周波数信号の送信の継続時間が第１の期間の長さに達した時に、第１のアンテナ１０１の使用を停止して、第２のアンテナ１０２を用いた無線周波数信号の送信を開始するよう無線周波数回路１０３に命令するように構成される。
【０２２６】
具体的には、第１の期間中に第１のアンテナ１０１を用いて無線周波数信号が送信される場合に発生する無線周波数放射エネルギーは、第１の予め設定されたエネルギー以下である。
【０２２７】
第１の予め設定されたエネルギーは、ＳＡＲ規格において指定されるＳＡＲ上限値に対応する、第１のアンテナ１０１の無線周波数放射エネルギー以下である。
【０２２８】
具体的には、第２の期間の長さは、無線通信デバイスにおいて予め設定される。
【０２２９】
具体的には、プロセッサ／コントローラ１０４はさらに、第１の期間中に第１のアンテナ１０１において発生した無線周波数放射エネルギーに従って第２の期間の長さを決定するように構成される。
【０２３０】
具体的には、プロセッサ／コントローラ１０４はさらに、無線通信デバイスが第２のアンテナ１０２を用いた無線周波数信号の送信を開始した場合、第２のアンテナ１０２を用いた無線周波数信号の送信の継続時間のカウントを開始するように構成され、かつ、第２のアンテナ１０２を用いた無線周波数信号の送信の継続時間が第２の期間の長さに達した時に、第１のアンテナ１０１の使用を停止して、第２のアンテナ１０２を用いた無線周波数信号の送信を開始するよう無線周波数回路１０３に命令するように構成される。
【０２３１】
具体的には、第２の期間中に第２のアンテナ１０２を用いて無線周波数信号が送信される場合に発生する無線周波数放射エネルギーは、第２の予め設定されたエネルギー以下であり、第２の予め設定されたエネルギーは、ＳＡＲ規格において指定されるＳＡＲ上限値に対応する、第２のアンテナ１０２の無線周波数放射エネルギー以下である。
【０２３２】
具体的には、プロセッサ／コントローラ１０４はさらに、第２のアンテナ１０２の送信電力が第２の予め設定された電力を上回っているかどうかを判断するように構成される。第２の予め設定された電力は、ＳＡＲ規格において指定されるＳＡＲ上限値に対応する、第２のアンテナ１０２の送信電力以下である。
【０２３３】
無線通信デバイスは、人体と第２のアンテナ１０２との間の距離を検出するように構成される第２のセンサをさらに含む。
【０２３４】
プロセッサ／コントローラ１０４はさらに、人体と第２のアンテナ１０２との間の距離が第２の検出距離を下回っているかどうかを判断するように構成され、かつ、第２のアンテナ１０２の送信電力が第２の予め設定された電力を上回っており、かつ、人体と第２のアンテナ１０２との間の距離が第２の検出距離を下回っている場合、ＳＡＲ規格において指定される、ＳＡＲ試験の第２の期間の長さが、試験継続時間を下回っているので、無線通信デバイスがＳＡＲ規格を満たす、と判断するように構成される。
【０２３５】
具体的には、プロセッサ／コントローラ１０４はさらに、第２のアンテナ１０２の送信電力が、ＳＡＲ規格において指定されるＳＡＲ上限値に対応する、第２のアンテナ１０２の送信電力以下である第２の予め設定された電力を上回っているかどうかを判断し、第２のアンテナ１０２の送信電力が第２の予め設定された電力を下回っている場合、第２のアンテナ１０２の送信性能パラメータを取得し、かつ、第２のアンテナ１０２の送信性能パラメータに従って第２の期間の長さを延ばすように構成される。
【０２３６】
代替的に、無線通信デバイスは、人体と第２のアンテナ１０２との間の距離を検出するように構成される第２のセンサをさらに含む。プロセッサ／コントローラ１０４はさらに、人体と第２のアンテナ１０２との間の距離が第２の検出距離を上回っているかどうかを判断し、人体と第２のアンテナ１０２との間の距離が第２の検出距離を上回っている場合、第２のアンテナ１０２の送信性能パラメータを取得し、かつ、第２のアンテナ１０２の送信性能パラメータに従って第２の期間の長さを延ばすように構成される。
【０２３７】
プロセッサ／コントローラ１０４は、図５Ａおよび図５Ｂから図８におけるプロセスおよび／または本願において説明される技術のために用いられる別のプロセスの処理を実行するように構成される。簡単な説明については、詳細は、ここでは再び説明されない。
【０２３８】
本明細書における無線通信デバイス１０は、簡素化された設計のものに過ぎないことが理解されるべきである。本明細書において、「プロセッサ」という用語は、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、略して「ＡＳＩＣ」）、電子回路、１または複数のソフトウェアプログラムまたはファームウェアプログラムを実行するためのプロセッサ（共有プロセッサ、専用プロセッサまたはグループプロセッサなど）、メモリ、結合論理回路および／または説明された機能をサポートする別の適切なコンポーネントであり得る。任意の例において、当業者であれば、無線通信デバイス１０は、前述の方法の実施形態における手順および／または段階を実行するように構成され得ることを理解し得る。反復を避けるために、詳細は、ここでは再び説明されない。
【０２３９】
実装プロセスにおいて、前述の方法の実施形態における段階は、プロセッサ１０４のハードウェアの集積論理回路またはソフトウェア形式の命令を用いて実行され得る。本発明の実施形態を参照して開示される方法の段階は、ハードウェアのプロセッサにより直接実行され得るか、またはプロセッサのハードウェアとソフトウェアモジュールとの組み合わせを用いて実行され得る。ソフトウェアモジュールは、ランダムアクセスメモリ、フラッシュメモリ、リードオンリメモリ、プログラマブルリードオンリメモリ、電気的に消去可能なプログラマブルメモリまたはレジスタなど、当技術分野における成熟した記憶媒体に配置されてよい。記憶媒体はメモリであってよく、プロセッサ１０４は、メモリにおける情報を読み取ると共に、プロセッサのハードウェアと共に前述の方法における段階を完了させる。反復を避けるために、詳細は、ここでは再び説明されない。
【０２４０】
当業者であれば、本明細書において開示される実施形態において説明された例と組み合わせて、ユニットおよびアルゴリズムの段階が、電子的ハードウェアまたはコンピュータソフトウェアと電子的ハードウェアとの組み合わせにより実装され得ることを認識し得る。機能がハードウェアにより実行されるか、またはソフトウェアにより実行されるかは、技術的解決手段の特定の用途と設計上の制約条件とに依存する。当業者であれば、異なる方法を用いて、説明された機能を特定の用途毎に実装し得るが、そのような実装が本発明の範囲を越えるものとみなされるべきではない。
【０２４１】
当業者であれば、簡便かつ簡潔に説明をする目的で、前述のシステム、装置およびユニットの詳細な動作プロセス明確に理解し得る。前述のシステム、装置およびユニットの詳細な動作プロセスについては、前述の方法の実施形態における対応するプロセスを参照されたい。詳細は、ここでは再び説明されない。
【０２４２】
本願において提供されるいくつかの実施形態において、開示されたシステム、装置および方法は、他の方式で実装され得ることが理解されるべきである。例えば、説明された装置の実施形態は、一例に過ぎない。例えば、ユニットの分割は、論理的機能の分割に過ぎず、実際のの実装では他の分割であってよい。例えば、複数のユニットまたはコンポーネントを別のシステムに組み合わるかまたは統合されてよく、いくつかの特徴が無視されても実行されなくてもよい。加えて、表示または説明された相互結合もしくは直接結合または通信接続は、いくつかのインタフェースを用いて実装されてよい。装置間またはユニット間の間接的な結合または通信接続は、電子的、機械的または他の形式で実装されてよい。
【０２４３】
別個の部品として説明されたユニットは、物理的に離れていても離れていなくてもよく、ユニットとして表示された部品が、物理的なユニットであってもそうでなくてもよく、１箇所に配置されてもよく、複数のネットワークユニットに分散されてもよい。ユニットのいくつかまたは全てが、実施形態の解決手段の目的を達成するための実際の要件に従って選択されてよい。
【０２４４】
加えて、本発明の実施形態における機能ユニットが１つの処理ユニットに統合されてよく、これらのユニットの各々が物理的に単独で存在してもよく、２つまたはそれより多くのユニットが１つのユニットに統合されてもよい。
【０２４５】
機能がソフトウェア機能ユニットの形式で実装され、独立の製品として販売または使用される場合、機能は、コンピュータ可読記憶媒体に格納されてよい。そのような理解に基づいて、本発明の技術的解決手段は本質的に、または従来技術に寄与する部分もしくは技術的解決手段のいくつかは、ソフトウェア製品の形態で実装されてよい。コンピュータソフトウェア製品は、記憶媒体に格納され、本発明の実施形態において説明された方法の段階の全てまたはいくつかを実行するよう、（パーソナルコンピュータ、サーバまたはネットワークデバイスであってよい）コンピュータデバイスに命令するためのいくつかの命令を含む。前述の記憶媒体は、ＵＳＢフラッシュドライブ、リムーバブルハードディスク、リードオンリメモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスクまたは光ディスクなど、プログラムコードを格納し得る任意の媒体を含む。
【０２４６】
前述の説明は、本発明の特定の実装に過ぎず、本発明の保護範囲を限定することを意図していない。本発明において開示される技術的範囲内で当業者が容易に想到する任意の変形例または置換は、本発明の保護範囲に含まれるものとする。従って、本発明の保護範囲は、特許請求の範囲の保護範囲によって決まるものとする。
【図１ａ】
2019527507.tif 000007
【図１ｂ】
2019527507.tif 000008
【図１ｃ】
2019527507.tif 000009
【図２ａ】
2019527507.tif 000010
【図２ｂ】
2019527507.tif 000011
【図３ａ】
2019527507.tif 000012
【図３ｂ】
2019527507.tif 000013
【図４】
2019527507.tif 000014
【図４ａ】
2019527507.tif 000015
【図４ｂ】
2019527507.tif 000016
【図５Ａ】
2019527507.tif 000017
【図５Ｂ】
2019527507.tif 000018
【図５ａ】
2019527507.tif 000019
【図５ｂ】
2019527507.tif 000020
【図６Ａ】
2019527507.tif 000021
【図６Ｂ】
2019527507.tif 000022
【図６ａ】
2019527507.tif 000023
【図６ｂ】
2019527507.tif 000024
【図７Ａ】
2019527507.tif 000025
【図７Ｂ】
2019527507.tif 000026
【図７ａ】
2019527507.tif 000027
【図７ｂ】
2019527507.tif 000028
【図７ｃ】
2019527507.tif 000029
【図８】
2019527507.tif 000030
【図８ａ】
2019527507.tif 000031
【図９】
2019527507.tif 000032
【手続補正書】
【提出日】平成31年3月11日(2019.3.11)
【手続補正１】
【補正対象書類名】特許請求の範囲
【補正対象項目名】全文
【補正方法】変更
【補正の内容】
【特許請求の範囲】
【請求項１】
無線通信デバイスの比吸収率を制御するための方法であって、
前記無線通信デバイスは、第１のアンテナと第２のアンテナとを備え、
前記無線通信デバイスにおける前記第１のアンテナの位置と前記第２のアンテナの位置との間の距離は、予め設定された間隔を上回り、
前記方法は、
前記無線通信デバイスが前記第１のアンテナを用いて無線周波数信号を送信する段階と、
前記第１のアンテナの送信電力が第１の予め設定された電力を上回り、かつ、第１の期間が経過した時に、前記第１のアンテナの使用を停止して、前記第２のアンテナを用いた前記無線周波数信号の送信を開始する段階と
を備え、
前記無線通信デバイスがＳＡＲ規格を満たすように、
前記第１の予め設定された電力は、前記ＳＡＲ規格において指定されるＳＡＲ上限値に対応する、前記第１のアンテナの前記送信電力以下であり、
前記第１の期間の開始時点は、前記第１のアンテナの前記送信電力が前記第１の予め設定された電力を上回った時点であり、かつ、
前記第１の期間の長さは、前記ＳＡＲ規格において指定される、ＳＡＲ試験の試験継続時間を下回る、
方法。
【請求項２】
前記第１のアンテナの前記送信電力が前記第１の予め設定された電力を上回る前に、
前記第１のアンテナの前記送信電力が前記第１の予め設定された電力を上回っているかどうかをモニタリングする段階
をさらに備える、請求項１に記載の方法。
【請求項３】
第２の期間が経過した時に、前記第２のアンテナを用いた前記無線周波数信号の送信を停止して、別のアンテナを用いた前記無線周波数信号の送信を開始する段階
をさらに備え、
前記第２の期間の開始時点は、前記第２のアンテナを用いた前記無線周波数信号の送信を開始した時点であり、
前記別のアンテナは、前記無線通信デバイスにおける前記第２のアンテナ以外のアンテナである、
請求項１または２に記載の方法。
【請求項４】
前記別のアンテナは、前記第１のアンテナである、
請求項３に記載の方法。
【請求項５】
前記第１のアンテナの前記送信電力が前記第１の予め設定された電力を上回った後、
人体と前記第１のアンテナとの間の距離を検出する段階と、
前記人体と前記第１のアンテナとの間の前記距離が第１の検出距離を下回っているかどうかを判断する段階であって、前記第１の検出距離は、前記ＳＡＲ規格において指定される、前記ＳＡＲ試験中の前記無線通信デバイスと前記人体との間の距離である、段階と、
前記第１のアンテナの前記送信電力が前記第１の予め設定された電力を上回っており、かつ、前記人体と前記第１のアンテナとの間の前記距離が前記第１の検出距離を下回っている場合、第１の期間が経過した時に、前記第１のアンテナの使用を停止して、前記第２のアンテナを用いた前記無線周波数信号の送信を開始する前記段階を実行する段階と
をさらに備える、請求項１から４のいずれか一項に記載の方法。
【請求項６】
前記第１の期間の前記長さは、前記無線通信デバイスにおいて予め設定される、
請求項１から５のいずれか一項に記載の方法。
【請求項７】
前記第１のアンテナの送信電力が第１の予め設定された電力を上回り、第１の期間が経過した時に、前記第１のアンテナの使用を停止して、前記第２のアンテナを用いた前記無線周波数信号の送信を開始する前記段階は、
前記第１のアンテナの前記送信電力が前記第１の予め設定された電力を上回った時に、前記第１のアンテナを用いた前記無線周波数信号の送信の継続時間のカウントを開始する段階と、
前記第１のアンテナを用いた前記無線周波数信号の送信の前記継続時間が前記第１の期間の前記長さに達した時に、前記第１のアンテナの使用を停止して、前記第２のアンテナを用いた前記無線周波数信号の送信を開始する段階と
を有する、
請求項６に記載の方法。
【請求項８】
無線通信デバイスであって、
無線周波数信号を送信するように構成される第１のアンテナと、
無線周波数信号を送信するように構成される第２のアンテナであって、前記無線通信デバイスにおける前記第１のアンテナの位置と前記第２のアンテナの位置との間の距離は、予め設定された間隔を上回る、第２のアンテナと、
前記第１のアンテナまたは前記第２のアンテナに通信可能に接続された無線周波数回路と、
前記無線周波数回路に通信可能に接続されたプロセッサと
を備え、
前記無線周波数回路は、前記第１のアンテナの送信電力が第１の予め設定された電力を上回った場合に前記第１のアンテナを用いて無線周波数信号を送信するように、前記第１のアンテナに接続され、
前記プロセッサは、第１の期間が経過した時に、前記無線通信デバイスがＳＡＲ規格を満たすように、前記第１のアンテナの使用を停止して、前記第２のアンテナを用いた前記無線周波数信号の送信を開始するよう前記無線周波数回路に命令するように構成され、
前記第１の予め設定された電力は、前記ＳＡＲ規格において指定されるＳＡＲ上限値に対応する、前記第１のアンテナの前記送信電力以下であり、
前記第１の期間の開始時点は、前記第１のアンテナの前記送信電力が前記第１の予め設定された電力を上回った時点であり、かつ、
前記第１の期間の長さは、前記ＳＡＲ規格において指定される、ＳＡＲ試験の試験継続時間を下回る、
無線通信デバイス。
【請求項９】
前記プロセッサはさらに、前記第１のアンテナの前記送信電力が前記第１の予め設定された電力を上回っているかどうかをモニタリングするように構成される、
請求項８に記載の無線通信デバイス。
【請求項１０】
前記プロセッサはさらに、第２の期間が経過した時に、前記第２のアンテナを用いた前記無線周波数信号の送信を停止して、別のアンテナを用いた前記無線周波数信号の送信を開始するよう前記無線周波数回路に命令するように構成され、
前記第２の期間の開始時点は、前記第２のアンテナを用いた前記無線周波数信号の送信を開始した時点であり、
前記別のアンテナは、前記無線通信デバイスにおける前記第２のアンテナ以外のアンテナである、
請求項８または９に記載の無線通信デバイス。
【請求項１１】
前記別のアンテナは、前記第１のアンテナである、
請求項１０に記載の無線通信デバイス。
【請求項１２】
人体と前記第１のアンテナとの間の距離を検出するように構成される第１のセンサ
をさらに備え、
前記プロセッサはさらに、
前記人体と前記第１のアンテナとの間の前記距離が、前記ＳＡＲ試験中の前記無線通信デバイスと前記人体との間の前記ＳＡＲ規格において指定される距離である第１の検出距離を下回っているかどうかを判断するように構成され、かつ、
前記第１のアンテナの前記送信電力が前記第１の予め設定された電力を上回っており、前記人体と前記第１のアンテナとの間の前記距離が前記第１の検出距離を下回っている場合、前記第１の期間が経過した時に、前記第１のアンテナの使用を停止して、前記第２のアンテナを用いた前記無線周波数信号の送信を開始するように構成される、
請求項８から１１のいずれか一項に記載の無線通信デバイス。
【請求項１３】
前記第１の期間の前記長さは、前記無線通信デバイスにおいて予め設定される、
請求項８から１２のいずれか一項に記載の無線通信デバイス。
【請求項１４】
前記プロセッサはさらに、
前記第１のアンテナの前記送信電力が前記第１の予め設定された電力を上回った時に、前記第１のアンテナを用いた前記無線周波数信号の送信の継続時間のカウントを開始するように構成され、かつ、
前記第１のアンテナを用いた前記無線周波数信号の送信の前記継続時間が前記第１の期間の前記長さに達した時に、前記第１のアンテナの使用を停止して、前記第２のアンテナを用いた前記無線周波数信号の送信を開始するよう前記無線周波数回路に命令するように構成される、
請求項１３に記載の無線通信デバイス。
【請求項１５】
前記第１の期間内に前記第１のアンテナを用いて前記無線周波数信号が送信される時に発生する無線周波数放射エネルギーは、第１の予め設定されたエネルギー以下であり、
前記第１の予め設定されたエネルギーは、前記第１のアンテナにおける、前記ＳＡＲ規格において指定される前記ＳＡＲ上限値に対応する無線周波数放射エネルギー以下である、
請求項８から１２のいずれか一項に記載の無線通信デバイス。
【手続補正２】
【補正対象書類名】明細書
【補正対象項目名】００８２
【補正方法】変更
【補正の内容】
【００８２】
ディスプレイユニット１１４０は、ユーザにより入力された情報またはユーザのために提供された情報と、無線通信デバイスの様々なメニューとを表示するように構成され得る。ディスプレイユニット１１４０は、ディスプレイスクリーン１１４１を含み得る。任意選択で、ディスプレイスクリーン１１４１は、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）等を用いて構成され得る。図２ａにおいて、タッチスクリーン１１３１およびディスプレイスクリーン１１４１は、無線通信デバイスの入力機能および出力機能を実装するための２つの独立のコンポーネントとして用いられる。しかしながら、いくつかの実施形態において、タッチスクリーン１１３１およびディスプレイスクリーン１１４１は、無線通信デバイスの入力機能および出力機能を実装するために統合され得る。
【手続補正３】
【補正対象書類名】明細書
【補正対象項目名】０１２４
【補正方法】変更
【補正の内容】
【０１２４】
［実施形態１］  図５Ａおよび図５Ｂは、本発明による、無線通信デバイスのＳＡＲを制御するための方法の第１の実施形態の概略フローチャートである。実施形態１において、無線通信デバイスは、検出モジュールをさらに含む。検出モジュールは、人体、または人体組織（以下では説明を容易にするために「人体」と総称される）をシミュレートする吸収器が無線通信デバイスに近いかどうかを検出し得る。具体的には、検出モジュールは、近接センサ、静電容量センサ、赤外線センサ等であり得る。任意選択で、検出モジュールは別々に、第１のアンテナおよび第２のアンテナの近くに配置される。図５Ａおよび図５Ｂに示されるように、方法１０００は、以下の段階を含む。
【手続補正４】
【補正対象書類名】明細書
【補正対象項目名】０１８４
【補正方法】変更
【補正の内容】
【０１８４】
段階Ｓ３１１：第１のアンテナにおいて累積的に発生したＲＦ放射エネルギーが第１の予め設定されたエネルギーに達しているかかどうかを判断して、第１のアンテナに蓄積ｓたＲＦ放射エネルギーが第１の予め設定されたエネルギーに達している場合、段階Ｓ３１３を実行する。
【国際調査報告】
2019527507.tif 000033
2019527507.tif 000034
2019527507.tif 000035
2019527507.tif 000036
2019527507.tif 000037
2019527507.tif 000038